(57)【特許請求の範囲】
【請求項１】
無線通信のための方法であって、
サブフレームにおいて複数のサブキャリアのうちの第１のユーザ機器に割り当てられた単一のサブキャリアについて第１の伝送を生成することと、
前記第１のユーザ機器によって前記単一のサブキャリア上で前記第１の伝送を送信することと、なお、前記第１の伝送は、前記サブフレームにおいて第２のユーザ機器によって前記複数のサブキャリアのうちのマルチプルなサブキャリア上で送信される単一キャリア周波数分割多元接続伝送と同時に送信される、
を具備する方法。
【請求項２】
前記第１の伝送を生成することは、
前記第１のユーザ機器に割り当てられた前記単一のサブキャリアに対応する周波数で連続的な正弦波信号を生成することと、
少なくとも１つの変調シンボルを用いて、前記連続的な正弦波信号を変調することと、
を具備する、請求項１に記載の方法。
【請求項３】
前記連続的な正弦波信号を変調することは、
前記連続的な正弦波信号に基づいて、異なる位相の複数の正弦波信号を生成することと、
前記少なくとも１つの変調シンボルのうちの１つに基づいて、各シンボル期間において前記複数の正弦波信号のうちの１つを提供することと、
を具備する、請求項２に記載の方法。
【請求項４】
前記連続的な正弦波信号を変調することは、
増幅器を用いて、前記連続的な正弦波信号を増幅することと、
前記少なくとも１つの変調シンボルに基づいて、前記増幅器の振幅を変化させることと、
を具備する、請求項２に記載の方法。
【請求項５】
前記連続的な正弦波信号を変調することは、少なくとも１つのリファレンスシンボルを用いて、前記連続的な正弦波信号を変調することをさら具備する、請求項２に記載の方法。
【請求項６】
リファレンスシンボルが、時間間隔の中央のシンボル期間において伝送され、データに関する少なくとも１つの変調シンボルが、前記時間間隔における前記リファレンスシンボルの各側の少なくとも１つのシンボル期間において伝送される、請求項５に記載の方法。
【請求項７】
前記第１の伝送を前記生成することは、前記サブフレーム内で複数のシンボル期間において複数の変調シンボルを用いて変調された連続的な正弦波信号を含む前記第１の伝送を生成することを具備し、なお、前記第１の伝送は、各シンボル期間において、有用な部分がそれに後続するサイクリックプリフィックスを含み、前記複数のシンボル期間における前記有用な部分は、異なる開始位相を有する、請求項１に記載の方法。
【請求項８】
前記第１のユーザ機器に割り当てられた前記単一のサブキャリアにマッピングされた機器間チャネルの割り当てを受信すること、
をさらに具備する、請求項１に記載の方法。
【請求項９】
前記機器間チャネルは、リソースブロックのための少なくとも２つのサブキャリアにマッピングされた少なくとも２つの機器間チャネルのうちの１つであり、前記単一キャリア周波数分割多元接続伝送を送信するために前記第２のユーザ機器によって使用される前記マルチプルなサブキャリアは、少なくとも１つの他のリソースブロックのためのものである、請求項８に記載の方法。
【請求項１０】
アクセス要求を送信するためにリザーブされた第２の機器間チャネル上でアクセス要求を送信すること、
をさらに具備する、請求項８に記載の方法。
【請求項１１】
サウンディングリファレンス信号を送信するために使用される第２の機器間チャネル上で前記サウンディングリファレンス信号を送信すること、
をさらに具備する、請求項８に記載の方法。
【請求項１２】
閾値よりも高い出力電力レベルが選択された場合、電力増幅器を用いて前記第１の伝送を増幅することと、
前記閾値よりも低い出力電力レベルが選択された場合、前記電力増幅器をバイパスすることと、
をさらに具備する、請求項１に記載の方法。
【請求項１３】
増幅器を用いて前記第１の伝送を増幅することと、
前記増幅された第１の伝送を、送信フィルタまたはデュプレクサに通さずに、前記増幅器から直接アンテナに渡すことと、
をさらに具備する、請求項１に記載の方法。
【請求項１４】
無線通信のための装置であって、
サブフレームにおいて複数のサブキャリアのうちの第１のユーザ機器に割り当てられた単一のサブキャリアについて第１の伝送を生成するための手段と、
前記第１のユーザ機器によって前記単一のサブキャリア上で前記第１の伝送を送信するための手段と、なお、前記第１の伝送は、前記サブフレームにおいて第２のユーザ機器によって前記複数のサブキャリアのうちのマルチプルなサブキャリア上で送信される単一キャリア周波数分割多元接続伝送と同時に送信される、
を具備する装置。
【請求項１５】
前記第１の伝送を生成するための前記手段は、
前記第１のユーザ機器に割り当てられた前記単一のサブキャリアに対応する周波数で連続的な正弦波信号を生成するための手段と、
少なくとも１つの変調シンボルを用いて、前記連続的な正弦波信号を変調するための手段と、
を具備する、請求項１４に記載の装置。
【請求項１６】
前記第１の伝送を生成するための前記手段は、前記サブフレーム内で複数のシンボル期間において複数の変調シンボルを用いて変調された連続的な正弦波信号を含む前記第１の伝送を生成するための手段を具備し、なお、前記第１の伝送は、各シンボル期間において有用な部分がそれに後続するサイクリックプリフィックスを含み、前記複数のシンボル期間における前記有用な部分は、異なる開始位相を有する、請求項１４に記載の装置。
【請求項１７】
前記第１のユーザ機器に割り当てられた前記単一のサブキャリアにマッピングされた機器間チャネルの割り当てを受信するための手段、なお、前記機器間チャネルは、リソースブロックのための少なくとも２つのサブキャリアにマッピングされた少なくとも２つの機器間チャネルのうちの１つである、
をさらに具備する、請求項１４に記載の装置。
【請求項１８】
無線通信のための装置であって、
サブフレームにおいて複数のサブキャリアのうちの第１のユーザ機器に割り当てられた単一のサブキャリアのための第１の伝送を生成し、前記第１のユーザ機器によって前記単一のサブキャリア上で前記第１の伝送を送信するように構成された回路、なお、前記第１の伝送は、前記サブフレームにおいて第２のユーザ機器によって前記複数のサブキャリアのうちのマルチプルなサブキャリア上で送信される単一キャリア周波数分割多元接続伝送と同時に送信される、
を具備する装置。
【請求項１９】
前記回路は、前記第１のユーザ機器に割り当てられた前記単一のサブキャリアに対応する周波数で連続的な正弦波信号を生成し、少なくとも１つの変調シンボルを用いて、前記連続的な正弦波信号を変調するようにさらに構成される、請求項１８に記載の装置。
【請求項２０】
前記回路は、前記サブフレーム内で複数のシンボル期間において複数の変調シンボルを用いて変調された連続的な正弦波信号を含む前記第１の伝送を生成するようにさらに構成され、なお、前記第１の伝送は、各シンボル期間において有用な部分がそれに後続するサイクリックプリフィックスを含み、前記複数のシンボル期間における前記有用な部分は、異なる開始位相を有する、請求項１８に記載の装置。
【請求項２１】
前記回路は、前記第１のユーザ機器に割り当てられた前記単一のサブキャリアにマッピングされた機器間チャネルの割り当てを受信するようにさらに構成され、なお、前記機器間チャネルは、リソースブロックのための少なくとも２つのサブキャリアにマッピングされた少なくとも２つの機器間チャネルのうちの１つである、請求項１８に記載の装置。
【請求項２２】
コンピュータプログラムであって、
少なくとも１つのコンピュータに、サブフレームにおいて複数のサブキャリアのうちの第１のユーザ機器に割り当てられた単一のサブキャリアについて第１の伝送を生成させるためのコードと、
前記少なくとも１つのコンピュータに、前記第１のユーザ機器によって前記単一のサブキャリア上で前記第１の伝送を送信させるためのコードと、なお、前記第１の伝送は、前記サブフレームにおいて第２のユーザ機器によって前記複数のサブキャリアのうちのマルチプルなサブキャリア上で送信される単一キャリア周波数分割多元接続伝送と同時に送信される、
を具備するコンピュータプログラム。
【請求項２３】
無線通信のための方法であって、
サブフレームにおいて第１のユーザ機器によって複数のサブキャリアのうちの単一のサブキャリア上で送信された第１の伝送と、前記サブフレームにおいて第２のユーザ機器によって前記複数のサブキャリアのうちのマルチプルなサブキャリア上で送信された単一キャリア周波数分割多元接続伝送とを得るために、受信された信号を処理することと、
前記第１のユーザ機器によって前記単一のサブキャリア上で送信されたデータを取り出すために、前記第１の伝送について復調を実行することと、
を具備する方法。
【請求項２４】
前記受信された信号を処理することは、
各シンボル期間について、前記受信された信号中のサイクリックプリフィックスを除去することと、
前記複数のサブキャリアに関する受信されたシンボルを得るために、前記サイクリックプリフィックスの除去後、前記受信された信号を周波数領域に変換することと、
前記第１のユーザ機器によって前記第１の伝送を送信するために使用された前記単一のサブキャリアからの受信されたシンボルを提供することと、
を具備する、請求項２３に記載の方法。
【請求項２５】
前記第１の伝送について復調を実行することは、前記第１のユーザ機器が前記第１の伝送について連続的な正弦波信号を生成することと、前記第１の伝送が前記サブフレーム内で複数のシンボル期間の各々において有用な部分とサイクリックプリフィックスとを含むことと、に起因する、シンボル境界における位相の不連続性を考慮するために、位相補正を実行することを具備する、請求項２３に記載の方法。
【請求項２６】
位相補正を実行することは、
前記単一のサブキャリアの周波数、サイクリックプリフィックス長、およびシンボル期間の持続時間に基づいて、前記複数のシンボル期間の各々における前記有用な部分について開始位相を決定することと、
前記シンボル期間における前記有用な部分の前記開始位相に基づいて、前記複数のシンボル期間の各々について位相補正を実行することと、
を具備する、請求項２５に記載の方法。
【請求項２７】
前記第１の伝送について復調を実行することは、
前記第１のユーザ機器によって前記第１の伝送で送信された少なくとも１つのリファレンスシンボルに基づいて、チャネル推定を導出することと、
少なくとも１つの復調されたシンボルを得るために、前記チャネル推定に基づいて前記単一のサブキャリアからの少なくとも１つの受信されたシンボルについてコヒーレント復調を実行することと、
を具備する、請求項２３に記載の方法。
【請求項２８】
コヒーレント復調を実行することは、時間領域において前記少なくとも１つの受信されたシンボルについてコヒーレント復調を実行することを具備する、請求項２７に記載の方法。
【請求項２９】
前記単一のサブキャリアにマッピングされた機器間チャネルを前記第１のユーザ機器に割り当てること、
をさらに具備する、請求項２３に記載の方法。
【請求項３０】
前記機器間チャネルは、リソースブロックのための少なくとも２つのサブキャリアにマッピングされた少なくとも２つの機器間チャネルのうちの１つであり、前記単一キャリア周波数分割多元接続伝送を送信するために前記第２のユーザ機器によって使用される前記マルチプルなサブキャリアは、少なくとも１つの他のリソースブロックのためのものである、請求項２９に記載の方法。
【請求項３１】
アクセス要求を送信するためにリザーブされた第２の機器間チャネル上で前記第１のユーザ機器によって送信されたアクセス要求を受信すること、
をさらに具備する、請求項２９に記載の方法。
【請求項３２】
サウンディングリファレンス信号を送信するために使用される第２の機器間チャネル上で前記第１のユーザ機器によって送信された前記サウンディングリファレンス信号を受信すること、
をさらに具備する、請求項２９に記載の方法。
【請求項３３】
無線通信のための装置であって、
サブフレームにおいて第１のユーザ機器によって複数のサブキャリアのうちの単一のサブキャリア上で送信された第１の伝送と、前記サブフレームにおいて第２のユーザ機器によって前記複数のサブキャリアのうちのマルチプルなサブキャリア上で送信された単一キャリア周波数分割多元接続伝送とを得るために、受信された信号を処理するための手段と、
前記第１のユーザ機器によって前記単一のサブキャリア上で送信されたデータを取り出すために、前記第１の伝送について復調を実行するための手段と、
を具備する装置。
【請求項３４】
前記受信された信号を処理するための前記手段は、
各シンボル期間について、前記受信された信号中のサイクリックプリフィックスを除去するための手段と、
前記複数のサブキャリアに関する受信されたシンボルを得るために、前記サイクリックプリフィックスの除去後、前記受信された信号を周波数領域に変換するための手段と、
前記第１のユーザ機器によって前記第１の伝送を送信するために使用された前記単一のサブキャリアからの受信されたシンボルを提供するための手段と、
を具備する、請求項３３に記載の装置。
【請求項３５】
前記第１の伝送について復調を実行するための手段は、前記第１のユーザ機器が前記第１の伝送について連続的な正弦波信号を生成することと、前記第１の伝送が前記サブフレーム内で複数のシンボル期間の各々において有用な部分とサイクリックプリフィックスとを含むことと、に起因する、シンボル境界における位相の不連続性を考慮するために、位相補正を実行するための手段を具備する、請求項３３に記載の装置。
【請求項３６】
前記第１の伝送について復調を実行するための前記手段は、
前記第１のユーザ機器によって前記第１の伝送で送信された少なくとも１つのリファレンスシンボルに基づいて、チャネル推定を導出するための手段と、
少なくとも１つの復調されたシンボルを得るために、前記チャネル推定に基づいて前記単一のサブキャリアからの少なくとも１つの受信されたシンボルについてコヒーレント復調を実行するための手段と、
を具備する、請求項３３に記載の装置。
【請求項３７】
前記単一のサブキャリアにマッピングされた機器間チャネルを前記第１のユーザ機器に割り当てるための手段、なお、前記機器間チャネルは、リソースブロックのための少なくとも２つのサブキャリアにマッピングされた少なくとも２つの機器間チャネルのうちの１つである、
をさらに具備する、請求項３３に記載の装置。
【請求項３８】
無線通信のための装置であって、
サブフレームにおいて第１のユーザ機器によって複数のサブキャリアのうちの単一のサブキャリア上で送信された第１の伝送と、前記サブフレームにおいて第２のユーザ機器によって前記複数のサブキャリアのうちのマルチプルなサブキャリア上で送信された単一キャリア周波数分割多元接続伝送とを得るために、受信された信号を処理し、前記第１のユーザ機器によって前記単一のサブキャリア上で送信されたデータを取り出すために、前記第１の伝送について復調を実行するように構成された回路、
を具備する、装置。
【請求項３９】
前記回路は、各シンボル期間について、前記受信された信号中のサイクリックプリフィックスを除去し、前記サイクリックプリフィックスの除去後、前記受信された信号を周波数領域に変換して、前記複数のサブキャリアに関する受信されたシンボルを取得し、前記第１のユーザ機器によって前記第１の伝送を送信するために使用された前記単一のサブキャリアからの受信されたシンボルを提供するようにさらに構成される、請求項３８に記載の装置。
【請求項４０】
前記回路は、前記第１のユーザ機器が前記第１の伝送について連続的な正弦波信号を生成することと、前記第１の伝送が前記サブフレーム内で複数のシンボル期間の各々において有用な部分とサイクリックプリフィックスとを含むことと、に起因する、シンボル境界における位相の不連続性を考慮するために、位相補正を実行するようにさらに構成される、請求項３８に記載の装置。
【請求項４１】
前記回路は、前記第１のユーザ機器によって前記第１の伝送で送信された少なくとも１つのリファレンスシンボルに基づいてチャネル推定を導出し、少なくとも１つの復調されたシンボルを得るために、前記チャネル推定に基づいて前記単一のサブキャリアからの少なくとも１つの受信されたシンボルについてコヒーレント復調を実行するようにさらに構成される、請求項３８に記載の装置。
【請求項４２】
前記回路は、前記単一のサブキャリアにマッピングされた機器間チャネルを前記第１のユーザ機器に割り当てるようにさらに構成され、なお、前記機器間チャネルは、リソースブロックのための少なくとも２つのサブキャリアにマッピングされた少なくとも２つの機器間チャネルのうちの１つである、請求項３８に記載の装置。
【請求項４３】
コンピュータプログラムであって、
少なくとも１つのコンピュータに、サブフレームにおいて第１のユーザ機器によって複数のサブキャリアのうちの単一のサブキャリア上で送信された第１の伝送と、前記サブフレームにおいて第２のユーザ機器によって前記複数のサブキャリアのうちのマルチプルなサブキャリア上で送信された単一キャリア周波数分割多元接続伝送とを得るために、受信された信号を処理させるためのコードと、
前記少なくとも１つのコンピュータに、前記第１のユーザ機器によって前記単一のサブキャリア上で送信されたデータを取り出すために、前記第１の伝送について復調を実行させるためのコードと、
を具備するコンピュータプログラム。
【発明の詳細な説明】
【優先権の主張】
【０００１】
本願は、本譲受人に譲渡され、ここにその全文が参照により組み込まれる、「無線通信システムにおける低複雑度伝送波形のための方法および装置（METHOD AND APPARATUS FOR LOW-COMPLEXITY TRANSMISSION WAVEFORMS IN A WIRELESS COMMUNICATION SYSTEM）」と題された、２０１０年２月１０日に出願された米国特許仮出願第６１／３０３１９４号の優先権を主張する。
【技術分野】
【０００２】
本開示は、一般に通信に関し、より具体的には、無線通信システムにおいて通信をサポートするための技術に関する。
【背景技術】
【０００３】
無線通信システムは、音声、ビデオ、パケットデータ、メッセージング、ブロードキャスト等のような、さまざまな通信コンテンツを提供するために幅広く展開されている。これらの無線システムは、利用可能なシステムリソースを共用することにより、複数のユーザをサポートすることが可能な多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、および単一キャリアＦＤＭＡ（ＳＣ−ＦＤＭＡ）システムを含む。
【０００４】
無線通信システムは、多数のユーザ機器（ＵＥ）のための通信をサポートすることができる多数の基地局を含むことができる。ＵＥは、ダウンリンクおよびアップリンクを介して基地局と通信しうる。ダウンリンク（すなわち順方向リンク）は、基地局からＵＥへの通信リンクを指し、アップリンク（すなわち逆方向リンク）は、ＵＥから基地局への通信リンクを指す。これらＵＥのために通信を効率的にサポートすることが、望ましくありうる。
【発明の概要】
【０００５】
ＵＥによるデータ伝送をサポートするための技術が、ここに説明される。一態様では、ＵＥが複雑な変調器を回避してはるかに単純な送信機で動作できるよう、ＵＥが単一のサブキャリア（または少数のサブキャリア）上で伝送することを可能にするために、低複雑度伝送スキームが使用されうる。
【０００６】
１つの設計では、第１のＵＥは、第１のＵＥに割り当てられた単一のサブキャリアについて第１の伝送を生成することができる。第１のＵＥは、第２のＵＥによって複数のサブキャリア上で送信されるＳＣ−ＦＤＭＡ伝送と同時に単一のサブキャリア上で第１の伝送を送信することができる。１つの設計では、第１のＵＥは、第１のＵＥに割り当てられた単一のサブキャリアに対応する周波数で連続的な正弦波信号を生成することができる。第１のＵＥは、次いで、データに関する少なくとも１つの変調シンボルおよび少なくとも１つのリファレンスシンボル（reference symbol）を用いて連続的な正弦波信号を変調することができる。１つの設計では、第１の伝送は、各シンボル期間内に、有用な部分がそれに後続するサイクリックプリフィックスを含むことができ、サイクリックプリフィックスが除去されるときには、シンボル境界において位相の不連続性（discontinuity）を有しうる。連続するシンボル期間における有用な部分は、異なる開始位相を有しうる。
【０００７】
１つの設計では、基地局は、第１のＵＥによって単一のサブキャリア上で送信された第１の伝送と、第２のＵＥによって複数のサブキャリア上で送信されたＳＣ−ＦＤＭＡ伝送とを得るために、受信された信号を処理しうる。基地局は、第１のＵＥによって単一のサブキャリア上で送信されたデータを取り出すために、第１の伝送について復調を実行することができる。１つの設計では、基地局は、シンボル境界における位相の不連続性を考慮するために、第１の伝送について位相補正を実行することができる。基地局は、また、第２のＵＥによって複数のサブキャリア上で送信されたデータを取り出すために、ＳＣ−ＦＤＭＡ伝送について復調を実行することができる。
【０００８】
本開示のさまざまな態様と特徴が、以下にさらに詳細に説明される。
【図面の簡単な説明】
【０００９】
【図１】図１は、無線通信システムを示す。
【図２】図２は、例示的な伝送構造を示す。
【図３】図３は、ＳＣ−ＦＤＭＡ伝送のための送信機サブシステムを示す。
【図４】図４は、ＳＣ−ＦＤＭＡ伝送のための受信機サブシステムを示す。
【図５】図５は、単一サブキャリア伝送のための送信機サブシステムを示す。
【図６】図６は、単一サブキャリア伝送のための別の送信機サブシステムを示す。
【図７Ａ】図７Ａは、単一サブキャリア伝送のプロットを示す。
【図７Ｂ】図７Ｂは、単一サブキャリア伝送のプロットを示す。
【図７Ｃ】図７Ｃは、単一サブキャリア伝送のプロットを示す。
【図８Ａ】図８Ａは、単一サブキャリア伝送のスペクトル応答を示す。
【図８Ｂ】図８Ｂは、ＳＣ−ＦＤＭＡ伝送のスペクトル応答を示す。
【図９Ａ】図９Ａは、単一サブキャリア伝送のための２つのスロットフォーマットの１つを示す。
【図９Ｂ】図９Ｂは、単一サブキャリア伝送のための２つのスロットフォーマットのもう１つを示す。
【図１０】図１０は、単一サブキャリア伝送のための受信機サブシステムを示す。
【図１１】図１１は、単一サブキャリア復調器を示す。
【図１２】図１２は、データを送信するためのプロセスを示す。
【図１３】図１３は、データを受信するためのプロセスを示す。
【図１４】図１４は、データを送信するための装置を示す。
【図１５】図１５は、データを受信するための装置を示す。
【図１６】図１６は、基地局およびＵＥのブロック図を示す。
【詳細な説明】
【００１０】
ここに説明される技術は、ＣＤＭＡ、ＴＤＭＡ、ＦＤＭＡ、ＯＦＤＭＡ、ＳＣ−ＦＤＭＡおよびその他のシステムのような、さまざまな無線通信システムのために使用されうる。「システム」および「ネットワーク」という用語は、しばしば交換可能に使用される。ＣＤＭＡシステムは、ユニバーサル地上無線アクセス（ＵＴＲＡ）、ｃｄｍａ２０００等のような無線技術をインプリメントしうる。ＵＴＲＡは、広帯域ＣＤＭＡ（ＷＣＤＭＡ）、およびＣＤＭＡのその他の変形を含む。ｃｄｍａ２０００は、ＩＳ−２０００規格、ＩＳ−９５規格、およびＩＳ−８５６規格をカバーする。ＴＤＭＡシステムは、グローバル移動体通信システム（ＧＳＭ）（登録商標）のような無線技術をインプリメントしうる。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ（登録商標）等のような無線技術をインプリメントしうる。ＵＴＲＡおよびＥ−ＵＴＲＡは、ユニバーサル・モバイル・テレコミュニケーション・システム（ＵＭＴＳ）の一部である。３ＧＰＰロングタームエボリューション（ＬＴＥ）およびＬＴＥアドバンスト（ＬＴＥ−Ａ）は、ダウンリンクではＯＦＤＭＡを使用し、アップリンクではＳＣ−ＦＤＭＡを使用する、Ｅ−ＵＴＲＡを用いるＵＭＴＳの新たなリリースである。ＵＴＲＡ、Ｅ−ＵＴＲＡ、ＵＭＴＳ、ＬＴＥ、ＬＴＥ−ＡおよびＧＳＭについては、「第３世代パートナーシッププロジェクト」（３ＧＰＰ）と命名された組織からの文書に記述されている。ｃｄｍａ２０００およびＵＭＢについては、「第３世代パートナーシッププロジェクト２」（３ＧＰＰ２）と命名された組織からの文書に記述されている。ここに説明される技術は、上述されたシステムおよび無線技術のみならず、他のシステムおよび無線技術のためにも使用されうる。明瞭にするために、これらの技術のある特定の態様が、以下でＬＴＥに関して説明され、また、以下の説明の大部分で、ＬＴＥ用語が使用される。本発明がそれらに限定されないことに留意されたい。
【００１１】
図１は、無線通信システム１００を示し、これは、ＬＴＥシステムあるいは他の何らかのシステムであることができる。システム１００は、いくつかの発展型ノードＢ（ｅＮＢ）１１０と、その他のネットワークエンティティとを含みうる。ｅＮＢは、ＵＥ １２０と通信するエンティティであることができ、また、基地局、ノードＢ、アクセスポイント等とも呼ばれうる。各ｅＮＢ １１０は、特定の地理的エリアについて通信カバレッジを提供することができ、カバレッジエリア内に位置するＵＥ １２０のための通信をサポートすることができる。システム容量を改善するために、ｅＮＢの全体的なカバレッジエリアは、複数（例えば、３つ）のより小さなエリアに分割されうる。各々のより小さなエリアは、それぞれのｅＮＢサブシステムによってサービスされうる。３ＧＰＰでは、「セル」という用語は、このカバレッジエリアをサービスしているｅＮＢサブシステムおよび／またはｅＮＢの最小のカバレッジエリアを指しうる。
【００１２】
ＵＥ １２０は、システム全体にわたって分散されることができ、各ＵＥ １２０は、固定式または移動式であることができる。ＵＥ １２０はまた、移動局、端末、アクセス端末、加入者ユニット、局、デバイス等とも呼ばれうる。ＵＥ １２０は、セルラ電話、携帯情報端末（ＰＤＡ）、無線モデム、無線通信デバイス、ハンドヘルドデバイス、ラップトップコンピュータ、コードレス電話、無線ローカルループ（ＷＬＬ）局、スマートフォン、ネットブック、スマートブック、タブレット、センサ、メータ、サーバ等でありうる。
【００１３】
ＬＴＥは、ダウンリンクでは直交周波数分割多重化（ＯＦＤＭ）を利用し、アップリンクでは、単一キャリア周波数分割多重化（ＳＣ−ＦＤＭ）を利用する。ＯＦＤＭおよびＳＣ−ＦＤＭは、周波数範囲を複数（ＮＦＦＴ個）の直交サブキャリアに分割し、これらはまた、一般的に、トーン、ビン等とも呼ばれる。各サブキャリアは、データで変調されうる。一般に、変調シンボルは、ＯＦＤＭでは周波数領域で、およびＳＣ−ＦＤＭでは時間領域で送信される。隣接するサブキャリア間の間隔は、固定されることができ、サブキャリアの総数（ＮＦＦＴ）は、システム帯域幅によって決まりうる。例えば、ＮＦＦＴは、１．２５、２．５、５、１０または２０ＭＨｚのシステム帯域幅について、それぞれ、１２８、２５６、５１２、１０２４または２０４８に等しいものとなりうる。
【００１４】
図２は、ＬＴＥにおいて、ダウンリンクおよびアップリンクの各々のために使用される伝送構造２００を示す。伝送タイムラインは、サブフレームの単位へと分割されうる。各サブフレームは、例えば、１ミリ秒（ｍｓ）のような、予め定められた持続時間を有することができ、２つのスロットに分割されることができる。各スロットは、Ｌ個のシンボル期間をカバーすることができ、例えば、拡張されたサイクリックプリフィックスについては６個のシンボル期間、通常のサイクリックプリフィックスについては７個のシンボル期間をカバーすることができる。
【００１５】
ダウンリンクおよびアップリンクの各々について、Ｍ個のリソースブロックが各スロットにおいて定義されることができ、ここで、Ｍは、システム帯域幅によって決まりうるものであり、１．２５〜２０ＭＨｚのシステム帯域幅について、それぞれ６から１１０までに及びうる。各リソースブロックは、１つのスロットにおいて１２個のサブキャリアをカバーすることができ、いくつものリソース要素を含むことができる。各リソース要素は、１つのシンボル期間において１つのサブキャリアをカバーすることができ、実数値または複素数値でありうる１つの変調シンボルを伝送するために使用されることができる。各リンクについての利用可能なリソースブロックは、そのリンク上での制御情報およびデータの伝送のために、ＵＥに割り当てられることができる。
【００１６】
アップリンクでは、利用可能なリソースブロックは、データ領域と制御領域とに区分されうる。図２で示すように、制御領域は、システム帯域幅の２つの端の近くにリソースブロックを含みうる。制御領域は、設定可能なサイズを有することができ、それは、ＵＥによってアップリンク上で送信されている制御情報の予想される量に基づいて選択されることができる。データ領域は、制御領域に含まれないすべてのリソースブロックを含みうる。図２の設計は、隣接するリソースブロックを含むデータ領域をもたらし、それは、単一のＵＥに、データ領域におけるすべての隣接するリソースブロックが割り当てられることを可能にしうる。
【００１７】
所与のＵＥは、ｅＮＢに制御情報を伝送するために、制御領域においてリソースブロックを割り当てられうる。ＵＥはまた、ｅＮＢにデータを伝送するために、データ領域においてリソースブロックを割り当てられうる。割り当てられたリソースブロックは、ペアにされる（paired）ことができ、ＵＥからのアップリンク伝送は、サブフレーム中の両方のスロットにまたがることができる。所与のペアにおける２つのリソースブロックは、周波数ホッピングが使用可能でない場合、サブキャリアの同じセットを占有し、周波数ホッピングが使用可能である場合、サブキャリアの異なるセットを占有しうる。
【００１８】
図３は、ＵＥによるアップリンク上のＳＣ−ＦＤＭＡ伝送をサポートするために使用されうる、送信機サブシステム３００のブロック図を示す。送信機サブシステム３００内では、送信（ＴＸ）データプロセッサ３１０が、アップリンク上で伝送すべきデータを受信し、そのデータを処理（例えば、符号化およびシンボルマッピング）し、ＳＣ−ＦＤＭＡ変調器３２０に変調シンボルを提供することができる。ＳＣ−ＦＤＭＡ変調器３２０内では、離散フーリエ変換（ＤＦＴ）ユニット３２２が、Ｎ個の変調シンボルに対してＮ点ＤＦＴ（N-point DFT）を実行し、Ｎ個の周波数領域シンボルを提供することができ、ここで、Ｎは、伝送のために割り当てられるサブキャリアの数であり、１２の整数倍でありうる。シンボル・ツー・サブキャリア・マッパー（symbol-to-subcarrier mapper）３２４は、Ｎ個の周波数領域シンボルをＮ個の割り当てられたサブキャリアにマッピングすることができ、ゼロの信号値を有するゼロシンボルを残りのサブキャリアにマッピングすることができる。逆高速フーリエ変換（ＩＦＦＴ）ユニット３２６は、全部でＮＦＦＴ個のサブキャリアについて、マッピングされたシンボルに対してＮＦＦＴ点ＩＦＦＴを実行し、ＳＣ−ＦＤＭＡシンボルの有用な部分についてＮＦＦＴ個の複素数値の時間領域出力サンプルを提供することができる。サイクリックプリフィックスジェネレータ３２８は、ＮＦＦＴ＋ＮＣＰ個の出力サンプルを含むＳＣ−ＦＤＭＡシンボルを形成するために、有用な部分の末尾のＮＣＰ個の出力サンプルをコピーし、これらＮＣＰ個の出力サンプルを有用な部分の先頭に付加することができる。ＳＣ−ＦＤＭＡシンボルは、１つのシンボル期間において伝送されることができ、それは、ＮＦＦＴ＋ＮＣＰ個のサンプル期間を含みうる。ＳＣ−ＦＤＭＡ変調器３２０は、送信機３３０に出力サンプルを提供することができる。
【００１９】
送信機３３０内では、デジタルアナログ変換器（ＤＡＣ）３３２が、出力サンプルをアナログベースバンド信号に変換することができる。アナログベースバンド信号は、望ましくないイメージを除去するためにローパスフィルタ３３４によってフィルタ処理され、増幅器（ＡＭＰ）３３６によって増幅され、アップコンバータ３３８によってベースバンドから無線周波数（ＲＦ）に周波数アップコンバートされ、出力ＲＦ信号を得るために電力増幅器（ＰＡ）３４０によってさらに増幅されることができる。出力ＲＦ信号は、デュプレクサ３５０を通じてルーティングされ、アンテナ３５２を介して送信されることができる。位相同期ループ（ＰＬＬ）３４２は、中心周波数のインジケーションを受け取ることができ、局部発振器（ＬＯ）ジェネレータ３４４の周波数を調整するために使用される制御信号を提供することができる。ＬＯジェネレータ３４４は、アップコンバータ３３８のために適切な周波数で同相（Ｉ）および直交（Ｑ）のＬＯ信号を生成することができる。
【００２０】
図３は、送信機サブシステム３００の例示的な設計を示す。サブシステム３００ならびにサブシステム３００内の各モジュールは、また、他の方法でインプリメントされうる。例えば、送信機３３０は、ＤＡＣ３３２から電力増幅器３４０への信号経路内に、異なるおよび／または追加の回路ブロックを含みうる。
【００２１】
図４は、ｅＮＢによるアップリンク上のＳＣ−ＦＤＭＡ伝送の受信をサポートするために使用されうる、受信機サブシステム４００のブロック図を示す。受信機サブシステム４００内では、アンテナ４１２が、ＵＥによって送信されたアップリンク信号を受信し、受信されたＲＦ信号を提供することができる。受信されたＲＦ信号は、デュプレクサ４１４を通じてルーティングされ、受信機４２０に提供されることができる。受信機４２０内では、受信されたＲＦ信号は、低雑音増幅器（ＬＮＡ）４２２によって増幅され、ダウンコンバータ４２４によってＲＦからベースバンドに周波数ダウンコンバートされ、ローパスフィルタ４２６によってフィルタ処理され、増幅器４２８によって増幅され、アナログデジタル変換器（ＡＤＣ）４３０によってデジタル化されることができる。ＡＤＣ４３０は、時間領域入力サンプルをＳＣ−ＦＤＭＡ復調器４４０に提供することができる。ＰＬＬ４３２は、中心周波数のインジケーションを受信することができ、ＬＯジェネレータ４３４の周波数を調整するために使用される制御信号を提供することができる。ＬＯジェネレータ４３４は、ダウンコンバータ４２４のために適切な周波数でＩおよびＱのＬＯ信号を生成することができる。
【００２２】
ＳＣ−ＦＤＭＡ復調器４４０内では、サイクリックプリフィックス除去ユニット４４２が、１つのシンボル期間においてＮＦＦＴ＋ＮＣＰ個の入力サンプルを取得し、サイクリックプリフィックスに対応するＮＣＰ個の入力サンプルを除去し、有用な部分についてＮＦＦＴ個の入力サンプルを提供することができる。高速フーリエ変換（ＦＦＴ）ユニット４４４は、ＮＦＦＴ個の入力サンプルに対してＮＦＦＴ点ＦＦＴを実行し、全部でＮＦＦＴ個のサブキャリアについてＮＦＦＴ個の周波数領域の受信されたシンボルを提供することができる。シンボル・ツー・サブキャリア・デマッパー４４６は、データ伝送に使用されたＮ個のサブキャリアについてＮ個の受信されたシンボルを提供することができ、残りの受信されたシンボルを廃棄することができる。逆ＤＦＴ（ＩＤＦＴ）ユニット４４８は、Ｎ個の受信されたシンボルに対してＮ点ＩＤＦＴを実行し、Ｎ個の時間領域の復調されたシンボルを提供することができる。受信（ＲＸ）データプロセッサ４５０は、復調されたシンボルを処理（例えば、シンボルデマッピングおよび復号）し、復号化されたデータを提供することができる。
【００２３】
図４は、受信機サブシステム４００の例示的な設計を示す。サブシステム４００ならびにサブシステム４００内の各モジュールは、また、他の方法でインプリメントされうる。例えば、受信機４２０は、ＬＮＡ４２２からＡＤＣ４３０への信号経路内に、異なるおよび／または追加の回路ブロックを含みうる。
【００２４】
該システムは、低コスト、低データレートのデバイスによる機器間（Ｍ２Ｍ）通信をサポートすることができる。これらのデバイスは、単純化されたＵＥであることができ、Ｍ２Ｍ ＵＥと呼ばれうる。Ｍ２Ｍ ＵＥは、電気計器、自動販売機、自動センサ等のような、さまざまな用途に使用されうる。Ｍ２Ｍ ＵＥは、低コスト、低複雑度、低電力消費、低データレート、および遅延の影響を受けにくいデータ（delay insensitive data）など、特定の特徴を有しうる。
【００２５】
図３の送信機サブシステム３００は、Ｍ２Ｍ ＵＥｓのために使用されうるが、Ｍ２Ｍ ＵＥのデータ要件を満たすために必要なよりもはるかに複雑でありうる。したがって、送信機サブシステム３００は、Ｍ２Ｍ ＵＥについて、より高いコストおよびより高い電力消費をもたらしうる。
【００２６】
一態様では、低複雑度伝送スキームが、Ｍ２Ｍ ＵＥによる通信をサポートするために使用されることができ、上述された望ましい特徴の一部またはすべてを達成することができる。低複雑度伝送スキームは、Ｍ２Ｍ ＵＥが単一のサブキャリア（または少数のサブキャリア）上で伝送することを可能にしうる。これは、次いで、Ｍ２Ｍ ＵＥが、ＳＣ−ＦＤＭＡ変調器を省略し、はるかに単純な送信機で動作することを可能にしうる。具体的には、Ｍ２Ｍ ＵＥは、図３のＤＦＴ、ＩＦＦＴ、およびサイクリックプリフィックスジェネレータなしで、インプリメントされうる。
【００２７】
１つの設計では、データは、直接１つまたは複数のＬＯ信号に変調を適用することによって、単一のサブキャリア上で送信されることができる。２相位相変調（ＢＰＳＫ）では、変調は、送信されている変調シンボルに基づいて、（例えば、単一の変調器を用いて）単一のＬＯ信号を選択的に反転する（inverting）ことによって達成されうる。４相位相変調（ＱＰＳＫ）では、変調は、（ｉ）送信されている変調シンボルに基づいて、（例えば、２つの変調器を用いて）ＩおよびＱのＬＯ信号の各々を選択的に反転すること、および（ｉｉ）変調されたＩおよびＱのＬＯ信号をオーバーラップ（overlapping）させ、合算すること、によって達成されうる。１つの設計では、２つの遷移パターン（transition pattern）がＢＰＳＫについて記憶されることができ、１２の遷移パターンがＱＰＳＫについて記憶されることができる。各遷移パターンは、異なるコンスタレーション点（constellation points）に対応する２つの連続する変調シンボルの境界において使用されうる。連続する変調シンボルが同じコンスタレーション点に対応するときには、遷移パターンは、必要ではないことがありうる。遷移パターンは、伝送される信号に不連続性をもたらすことになる急激な変化を除去することによって、過度な放射（emissions）を緩和しうる。
【００２８】
図５は、送信機サブシステム５００の設計のブロック図を示し、これは、低複雑度伝送スキームをサポートし、Ｍ２Ｍ ＵＥのために使用されうる。送信機サブシステム５００内では、ＴＸデータプロセッサ５１０は、アップリンク上で伝送すべきデータを受信し、そのデータを処理（例えば、符号化およびシンボルマッピング）し、送信機５３０に変調シンボルを提供することができる。
【００２９】
送信機５３０内では、ＰＬＬ ５３２が、Ｍ２Ｍ ＵＥに割り当てられたサブキャリアのインジケーションを受信することができ、ＬＯジェネレータ５３４の周波数を調整するために使用される制御信号を提供することができる。ＬＯジェネレータ５３４は、ＰＬＬ ５３２からの制御信号に基づいて適切な周波数でＬＯ信号を生成することができる。移相器５３６は、ＬＯ信号を受信し、０°、９０°、１８０°および２７０°として示される、直交する４つのＬＯ信号を提供することができる。マルチプレクサ（ＭＵＸ）５３８は、移相器５３６から４つのＬＯ信号を受信することができ、そのシンボル期間において送信されている変調シンボルに基づいて、各シンボル期間において、電力増幅器５４０に４つのＬＯ信号のうちの１つを提供することができる。電力増幅器５４０は、マルチプレクサ５３８からのＬＯ信号を増幅し、出力ＲＦ信号を提供することができる。出力ＲＦ信号は、デュプレクサ５５０を通じてルーティングされ、アンテナ５５２を介して送信されることができる。
【００３０】
図５は、ＢＰＳＫおよびＱＰＳＫをサポートすることのできる、送信機サブシステム５００の例示的な設計を示す。サブシステム５００および送信機５３０はまた、他の方法でインプリメントされうる。例えば、ＢＰＳＫのみをサポートするために、移相器５３６は、０°および１８０°のＬＯ信号のみを提供しうる。送信機５３０はまた、ＰＬＬ ５３２から電力増幅器５４０への信号経路内に、異なるおよび／または追加の回路ブロックを含みうる。例えば、ドライバ増幅器（ＤＡ）が、マルチプレクサ５３８と電力増幅器５４０との間に挿入されることができ、信号利得および／または出力ＲＦ信号を提供するために使用されることができる。
【００３１】
図６は、送信機サブシステム６００の設計のブロック図を示し、これもまた、低複雑度伝送スキームをサポートし、また、Ｍ２Ｍ ＵＥのために使用されうる。送信機サブシステム６００内では、ＴＸデータプロセッサ６１０が、アップリンク上で伝送すべきデータを受信し、そのデータを処理し、送信機６３０に変調シンボルを提供することができる。
【００３２】
送信機６３０内では、ＰＬＬ ６３２が、Ｍ２Ｍ ＵＥに割り当てられたサブキャリアのインジケーションを受信することができ、ＬＯジェネレータ６３４の周波数を調整するために使用される制御信号を提供することができる。ＬＯジェネレータ６３４は、ＰＬＬ ６３２からの制御信号に基づいて、適切な周波数でＬＯ信号を生成することができる。電力増幅器６４０は、ＬＯジェネレータ６３４からのＬＯ信号と、ＴＸデータプロセッサ６１０からの変調シンボルとを受信することができる。電力増幅器６４０は、変調シンボルに基づいてＬＯ信号を変調することができ、出力ＲＦ信号を得るために変調されたＬＯ信号をさらに増幅することができる。出力ＲＦ信号は、デュプレクサ６５０を通じてルーティングされ、アンテナ６５２を介して送信されることができる。
【００３３】
図６は、送信機サブシステム６００の例示的な設計を示す。サブシステム６００および送信機６３０はまた、他の方法でインプリメントされうる。送信機６３０はまた、ＰＬＬ ６３２から電力増幅器６４０への信号経路内に、異なるおよび／または追加の回路ブロックを含みうる。例えば、ドライバ増幅器が、ＬＯジェネレータ６３４と電力増幅器６４０との間に挿入されることができ、信号利得および／または出力ＲＦ信号を提供するために使用されることができる。
【００３４】
図５および図６は、低複雑度伝送スキームをサポートする送信機サブシステムの２つの例示的な設計を示す。他の送信機サブシステムもまた、低複雑度伝送スキームをサポートするために使用されうる。
【００３５】
図５の電力増幅器５４０および図６の電力増幅器６４０は、良好な電力付加効率（ＰＡＥ：power added efficiency）を有するコンスタントエンベロープ増幅器を用いてインプリメントされることができる。例えば、電力増幅器５４０または６４０は、ＧＳＭ送信機において通常使用される電力増幅器を用いてインプリメントされることができる。ＧＳＭ電力増幅器は、より良好な効率を得るために、飽和状態（または非線形領域）で動作されうる。より良好な効率は、Ｍ２Ｍ ＵＥに、より低い電力消費およびより長いバッテリ寿命をもたらすことができる。ＧＳＭ電力増幅器からの出力ＲＦ信号は、正弦波の代わりに矩形波（square wave）に似たものとなりえ、中心周波数における所望の信号成分のみならず、中心周波数の調波（harmonics)における望ましくない信号成分を含みうる。望ましくない信号成分は、アンテナ５５２または６５２を介した送信の前に、デュプレクサ５５０または６５０によって容易にフィルタ処理されうる。
【００３６】
セルラデバイス／モバイルデバイスおよびＭ２Ｍデバイスにおける電力増幅器は、厳しいサイズとコストの制約を有しうる。デバイスが複数の周波数帯域をサポートするために複数の電力増幅器を必要としないように、複数の周波数帯域をカバーする広い周波数範囲にわたって動作できる単一の電力増幅器を有することが望ましくありうる。不運なことに、許容可能なＰＡＥを有するマルチバンド電力増幅器を設計することは、通常、あまりにも困難である。その結果、ほとんどのデバイスは、サポートされた周波数帯域ごとに専用の電力増幅器を組み込んでおり、これは、コストおよびサイズを増大させる。電力効率制限を緩和しうる技術は、マルチバンド電力増幅器を設計することを可能にし、それによって前述の制約を緩和しうる。
【００３７】
図７Ａは、単一のサブキャリア上の伝送のプロットを示す。水平軸は、時間を表し、サンプルの単位で与えられている。垂直軸は、振幅を表し、＋１〜−１の正規化された単位で与えられている。図７Ａは、ＳＣ−ＦＤＭＡシンボルが、２０４８サンプルの有用な部分と、１２８サンプルのサイクリックプリフィックスとを含む、一例を示す。
【００３８】
図７Ａは、単一のサブキャリア上でデータを搬送する２つのＳＣ−ＦＤＭＡシンボルを示す。第１のＳＣ−ＦＤＭＡシンボルは、時間Ｔ１から時間Ｔ２までであり、１２８サンプルのサイクリックプリフィックスと、それに後続する２０４８サンプルの有用な部分とを含む。第２のＳＣ−ＦＤＭＡシンボルは、時間Ｔ２から時間Ｔ３までであり、１２８サンプルのサイクリックプリフィックスと、それに後続する２０４８サンプルの有用な部分とを含む。単一のサブキャリアに関する正弦波信号は、各ＳＣ−ＦＤＭＡシンボルの有用な部分の開始において、既知の位相を有するように生成されうる。例えば、図７Ａに示すように、正弦波信号は、それが（ｉ）第１のＳＣ−ＦＤＭＡシンボルの有用な部分の開始において、０°の位相および１．０の大きさ（magnitude）、および（ｉｉ）第２のＳＣ−ＦＤＭＡシンボルの有用な部分の開始において、０°の位相および１．０の大きさ、を有するように生成されうる。この場合、図７Ａに示すように、連続するＳＣ−ＦＤＭＡシンボル間の境界に、例えば、時間Ｔ２における第１のＳＣ−ＦＤＭＡシンボルの終了と第２のＳＣ−ＦＤＭＡシンボルの開始との間の境界に、正弦波信号の不連続性が存在しうる。シンボル境界に位相の不連続性を有する正弦波信号を生成することは、困難でありうる。
【００３９】
１つの設計では、送信機サブシステムは、単一のサブキャリアについて連続的な正弦波信号を生成しうる。これは、異なるＳＣ−ＦＤＭＡシンボルの有用な部分が、（例えば、０°の位相の代わりに）異なる開始位相を有することをもたらしうる。受信機サブシステムは、異なるＳＣ−ＦＤＭＡシンボルの有用な部分の異なる開始位相を考慮しうる。
【００４０】
図７Ｂは、連続するＳＣ−ＦＤＭＡシンボル間の位相の不連続性がない、単一のサブキャリアについての連続的な正弦波信号のプロットを示す。図７Ｂは、同じ変調を有する２つのＳＣ−ＦＤＭＡシンボルを示す。第１のＳＣ−ＦＤＭＡシンボルは、時間Ｔ１から時間Ｔ２までであり、１２８サンプルのサイクリックプリフィックスと、それに後続する２０４８サンプルの有用な部分とを含む。第２のＳＣ−ＦＤＭＡシンボルは、時間Ｔ２から時間Ｔ３までであり、１２８サンプルのサイクリックプリフィックスと、それに後続する２０４８サンプルの有用な部分とを含む。第１のＳＣ−ＦＤＭＡシンボルの有用な部分は、図７Ｂでは０°である、第１の位相において開始する。第２のＳＣ−ＦＤＭＡシンボルの有用な部分は、第１の位相とは異なる、第２の位相において開始する。しかしながら、第１および第２のＳＣ−ＦＤＭＡシンボル間の境界に、正弦波信号における位相の不連続性はない。したがって、時間Ｔ２での第１のＳＣ−ＦＤＭＡシンボルの終了における値は、時間Ｔ２での第２のＳＣ−ＦＤＭＡシンボルの開始における値と一致する。
【００４１】
図７Ｃは、連続するＳＣ−ＦＤＭＡシンボル間の位相の不連続性がない、単一のサブキャリア上の伝送のプロットを示す。単一のサブキャリアについての連続的な正弦波信号は、図７Ｂに示されたように生成されうる。変調は、シンボル境界において正弦波信号の位相を変化させることによって、この正弦波信号に適用されうる。図７Ｃに示される例では、第１の変調シンボルは、（例えば、正弦波信号に＋１．０の値を乗じることによって）時間Ｔ１から時間Ｔ２までの正弦波信号に適用される。第１の変調シンボルとは反対の値（opposite value）を有する第２の変調シンボルは、（例えば、正弦波信号に−１．０の値を乗じることによって）時間Ｔ２から時間Ｔ３までの正弦波信号に適用される。変調は、図５または図６に示された設計に基づいて、連続的な正弦波信号に適用されうる。
【００４２】
ｅＮＢにおける受信機サブシステムは、１つまたは複数のＭ２Ｍ ＵＥから１つまたは複数の単一サブキャリア伝送を受信しうる。ｅＮＢは、各Ｍ２Ｍ ＵＥからの各ＳＣ−ＦＤＭＡシンボルの有用な部分の開始における位相を、そのＭ２Ｍ ＵＥに割り当てられたサブキャリアに基づいて決定しうる。以下に説明されるように、ｅＮＢは、各Ｍ２Ｍ ＵＥからの異なるＳＣ−ＦＤＭＡシンボルについて異なる開始位相を考慮しうる。
【００４３】
エアインタフェース規格は、通常、シンボル長／期間の逆数に等しくなるようにサブキャリア間隔を指定することによって、ＳＣ−ＦＤＭＡシンボルまたはＯＦＤＭシンボルの有用な部分内に、伝送される正弦波信号の整数個のサイクルが存在することを保証する。例えば、ＬＴＥでは、サブキャリア間隔は、１５ｋＨｚであり、ＳＣ−ＦＤＭＡシンボル長は、１／１５ｋＨｚ＝６６．６７マイクロ秒（μｓ）である。しかしながら、ＬＴＥアップリンクでは、ハーフトーン（half-tone）のオフセットが利用され、それは、ＳＣ−ＦＤＭＡシンボルの有用な部分内に、非整数個の正弦波サイクルをもたらす。これは、図７Ａ、図７Ｂおよび図７Ｃに例示されている。この特徴は、正弦波信号を生成することの実践には、非本質的である。ＳＣ−ＦＤＭＡシンボルの有用な部分内に、伝送される正弦波信号の整数個のサイクルがあるか否かは、また、ＬＯ周波数の仮定される配置に依存しうる。いずれの場合にも、ＳＣ−ＦＤＭＡシンボル長の逆数として指定されたサブキャリア間隔では、ＳＣ−ＦＤＭＡシンボルの有用な部分内の正弦波サイクルの数の差は、任意の２つのサブキャリアを比較した場合、常に整数になりうる。
【００４４】
図８Ａは、単一のサブキャリア上の伝送のスペクトル応答のプロット８１０を示す。水平軸は、周波数を表し、５ＭＨｚの単位で与えられている。垂直軸は、振幅を表し、１５ＫＨｚ当たりのｄＢｍの単位で与えられている。プロット８２０は、スペクトルマスクを示し、それは、中心周波数から離れた異なる周波数におけるＵＥからの最大の許容放射（maximum allowed emission）を指定する。プロット８１０は、５ＭＨｚのシステム帯域幅の下端（lower edge）の近くに位置する単一のサブキャリア上の伝送のスペクトル応答を示す。図８Ａに示されるように、スペクトル応答は、単一のサブキャリア上に大きな量のエネルギーを含み、このサブキャリアから離れるにつれて漸減するエネルギーを含む。スペクトル応答は、また、中心周波数の奇数調波において、望ましくない信号成分を含みうる（図８Ａには図示せず）。これらの望ましくない信号成分は、周波数が比較的遠く離れており、容易にフィルタ処理されうる。さらに、単側波帯（ＳＳＢ）変調が実行されないので、スペクトル応答は、ＬＯ漏洩（leakage）またはＩ／Ｑクロストーク（crosstalk）を含まない。単一サブキャリア伝送の比較的クリーンなスペクトル応答は、フィルタリングを単純化しうる。
【００４５】
図８Ｂは、２つのリソースブロックにおける２４個のサブキャリア上のＳＣ−ＦＤＭＡ伝送のスペクトル応答のプロット８３０を示す。図８Ｂに示されるように、スペクトル応答は、２つのリソースブロックにおける２４個のサブキャリア上に大きな量のエネルギーを含む。スペクトル応答は、また、ＬＯ漏洩に起因して、中心周波数に比較的大きなピーク８３２を含む。スペクトル応答は、また、直交アップコンバージョンのために使用されるＩミキサとＱミキサのペアの利得および／または位相の不一致によって引き起こされるＩ／Ｑクロストークに起因して、比較的大きなイメージ８３４を含む。スペクトル応答は、また、さまざまな所望の信号成分および不要な信号成分の間のミキシング（mixing）によって引き起こされるその他のイメージ８３６および８３８を含む。不要な信号成分は、ＵＥにおける追加のフィルタリングを必要としうる、また、図８Ａに示されるように、単一のサブキャリア上で伝送することにより回避されうる。
【００４６】
Ｍ２Ｍ ＵＥは、ＵＥに割り当てられた単一のサブキャリア上でデータを伝送することができる。Ｍ２Ｍ ＵＥは、また、ＵＥによって送信されたデータのコヒーレント復調／検波のために、ｅＮＢによって使用されうるリファレンス信号を伝送することができる。Ｍ２Ｍ ＵＥは、さまざまな方法でデータおよびリファレンス信号を伝送することができる。
【００４７】
図９Ａは、単一サブキャリア伝送のための伝送フォーマット９００の一設計を示す。図９Ａは、スロットが、通常のサイクリックプリフィックスについて、０〜６のインデックスを備えた７つのシンボル期間を含む場合を示す。図９Ａに示される設計では、リファレンスシンボルが、中央のシンボル期間３において伝送されることができ、また、６つのデータ変調シンボルが、残りの６つのシンボル期間において伝送されることができる。リファレンスシンボルは、送信機および受信機によってアプリオリに知られている変調シンボルである。
【００４８】
図９Ｂは、単一サブキャリア伝送のための伝送フォーマット９１０の一設計を示す。図９Ｂに示される設計では、２つのリファレンスシンボルが、２つのシンボル期間１および５において伝送されることができ、また、５つのデータ変調シンボルが、残りの５つのシンボル期間において伝送されることができる。
【００４９】
図９Ａおよび図９Ｂは、単一のサブキャリア上でデータおよびリファレンス信号を伝送する２つの設計を示す。一般に、リファレンスシンボルは、伝送のために利用可能なシンボル期間のうちの任意の１つにおいて、および任意の数のシンボル期間において、伝送されうる。例えば、リファレンスシンボルは、Ｑ番目のシンボル期間ごとに伝送されることができ、ここで、Ｑは、任意の整数値であることができ、例えば、図９Ａに示される通常のサイクリックプリフィックスについてはＱ＝７、または拡張されたサイクリックプリフィックスについてはＱ＝６である。より多くのリファレンスシンボルは、より高い（higher）オーバヘッドという犠牲を払って、チャネル推定を改善しうる。
【００５０】
図１０は、低複雑度の伝送スキームをサポートし、ｅＮＢのために使用されうる、受信機サブシステム１０００の一設計のブロック図を示す。受信機サブシステム１０００内では、アンテナ１０１２が、標準的な（regular）ＵＥおよびＭ２Ｍ ＵＥによって伝送されたアップリンク信号を受信して、受信されたＲＦ信号を提供することができる。受信されたＲＦ信号は、デュプレクサ１０１４を通じてルーティングされ、入力サンプルを得るために、受信機１０２０によって処理されることができる。
【００５１】
ＳＣ−ＦＤＭＡ復調器１０３０内では、サイクリックプリフィックス除去ユニット１０３２が、各シンボル期間においてＮＦＦＴ＋ＮＣＰ個の入力サンプルを得て、サイクリックプリフィックスに対応するＮＣＰ個の入力サンプルを除去し、有用な部分に関するＮＦＦＴ個の入力サンプルを提供することができる。ＦＦＴユニット１０３４は、各シンボル期間におけるＮＦＦＴ個の時間領域入力サンプルに対してＮＦＦＴ点ＦＦＴを実行して、全部でＮＦＦＴ個のサブキャリアに関するＮＦＦＴ個の周波数領域の受信されたシンボル提供することができる。シンボル・ツー・サブキャリア・デマッパー１０３６は、ＩＤＦＴユニット１０３８に、標準的なＵＥに割り当てられたサブキャリアのセットについて受信されたシンボルを提供することができる。デマッパー１０３６は、また、単一サブキャリア復調器１０４０に、Ｍ２Ｍ ＵＥに割り当てられたサブキャリアについて受信されたシンボルを提供することができる。ＩＤＦＴユニット１０３８は、各シンボル期間において標準的なＵＥに関する受信されたシンボルに対してＩＤＦＴを実行して、復調されたシンボルを提供することができる。ＲＸデータプロセッサ１０５０は、標準的なＵＥに関する復調されたシンボルを処理（例えば、シンボルデマッピングおよび復号）し、標準的なＵＥに関する復号化されたデータを提供することができる。
【００５２】
単一サブキャリア復調器１０４０は、Ｍ２Ｍ ＵＥに関して位相補正およびコヒーレント復調を実行することができる。復調器１０４０は、時間領域または周波数領域のいずれかにおけるチャネル推定に基づいて、コヒーレント復調と、シンボル境界における位相の不連続性を考慮するための位相補正とを実行することができる。以下に説明されるように、復調器１０４０は、Ｍ２Ｍ ＵＥに割り当てられたサブキャリアからの受信されたシンボルを処理し、復調されたシンボルを提供することができる。ＲＸデータプロセッサ１０６０は、復調されたシンボルを処理し、Ｍ２Ｍ ＵＥに関する復号化されたデータを提供することができる。
【００５３】
図１１は、時間領域においてコヒーレント復調および位相補正を実行する、単一サブキャリア復調器１０４０ｘの一設計のブロック図を示す。復調器１０４０ｘ内では、デマルチプレクサ（Ｄｅｍｕｘ）１１１２が、各シンボル期間においてＭ２Ｍ ＵＥに割り当てられたサブキャリアから受信されたシンボルを得て、データ伝送のために使用されたシンボル期間において得られた受信されたシンボルをバッファ１１１４に提供し、リファレンス信号のために使用されたシンボル期間において得られた受信されたシンボルをチャネル推定器１１２２に提供することができる。チャネル推定器１１２２は、リファレンス信号に関する受信されたシンボルに基づいて、Ｍ２Ｍ ＵＥのための無線チャネルに関するチャネル推定を導出することができる。バッファ１１１４は、チャネル推定が利用可能なときには、復調のために１度に１つの受信されたシンボルを提供することができる。単一サブキャリアコンバータ１１１６は、各シンボル期間について受信されたシンボルを得て、受信されたシンボルによって決定される振幅および位相において正弦波信号を提供することができる。位相補正ユニット１１１８は、コンバータ１１１６から各シンボル期間について正弦波信号を受信し、Ｍ２Ｍ ＵＥがシンボル期間をまたいで連続的な正弦波信号を生成することに起因する、シンボル境界における位相の不連続性を考慮するために、正弦波信号の位相を調整することができる。例えば、ユニット１１１８は、所与のシンボル期間においてコンバータ１１１６から受信される正弦波信号を、Ｍ２Ｍ ＵＥにおいて生成された正弦波信号の開始位相に対応する量だけ、回転させることができる。コヒーレント復調器（Ｄｅｍｏｄ）１１２０は、ユニット１１１８からの各シンボル期間についての補正された正弦波信号と、チャネル推定器１１２２からのチャネル推定とを受信することができる。復調器１１２０は、チャネル推定に基づいて、各シンボル期間について補正された正弦波信号に対してコヒーレント復調を実行し、Ｍ２Ｍ ＵＥによって送信された変調シンボルの推定でありうる、復調されたシンボルを提供することができる。
【００５４】
図１１は、時間領域においてコヒーレント復調および位相補正を実行する例示的な一設計を示す。位相補正およびコヒーレント復調は、また、周波数領域で実行されうる。例えば、各シンボル期間について受信されたシンボルは、Ｍ２Ｍ ＵＥにおいて生成された、そのシンボル期間に関する正弦波信号の開始位相に対応する量だけ回転されうる。コヒーレント復調は、次いで、チャネル推定に基づいて、周波数領域において回転されたシンボルに対して実行されうる。
【００５５】
１つの設計では、１２個のＭ２Ｍチャネルが、１つのリソースブロックにおける１２個のサブキャリアのために定義されうる（各サブキャリアにつき、１つのＭ２Ｍチャネル）。一般に、任意の数のＭ２Ｍチャネルが、任意の数のリソースブロックに基づいて定義されうる。Ｍ２Ｍチャネルのために使用されるリソースブロックは、制御領域内またはデータ領域内に位置しうる。
【００５６】
１つの設計では、Ｍ２Ｍ ＵＥは、アップリンク上でデータを伝送するために使用されるＭ２Ｍチャネルを割り当てられうる。Ｍ２Ｍ ＵＥは、Ｍ２Ｍチャネルを対称的に割り当てられうる。例えば、Ｍ２Ｍ ＵＥは、サブフレームの第１のスロットにおいて第１のサブキャリアを、およびサブフレームの第２のスロットにおいて第２のサブキャリアを割り当てられることができ、第２のサブキャリアは、第１のサブキャリアに対して中心周波数の周りで対称的に反対にあることができる。このようにインプリメントされる周波数ホッピングは、周波数ダイバーシティを増大させることができ、それは、周波数選択性フェージングチャネルにおけるリンク性能を改善することができる。
【００５７】
１つの設計では、Ｍ２Ｍチャネルは、周波数ホッピングなしに特定のサブキャリアにマッピングされうる。この設計は、割り当てられたサブキャリアに対応する固定された周波数でＬＯジェネレータが維持されうるので、Ｍ２Ｍ ＵＥにおける送信機サブシステムの動作を単純化することができる。別の設計では、Ｍ２Ｍチャネルは、周波数ホッピングを用いて、異なる時間間隔において異なるサブキャリアにマッピングされうる。各時間間隔は、シンボル期間、スロット、またはサブフレーム、あるいは他の何らかの時間の単位に対応しうる。この設計は、周波数ダイバーシティを提供することができる。Ｍ２Ｍ ＵＥは、不連続伝送（ＤＴＸ）で動作することができ、周波数ホッピングのためにサブキャリアを切り替えるときには、アップリンク上では伝送しないことができる。
【００５８】
１つの設計では、Ｍ２Ｍチャネルの異なるセットは、異なる機能のためにリザーブされうる。例えば、Ｍ２Ｍチャネルの１つのセットは、アップリンク上のデータ伝送のためにリザーブされうる。１つまたは複数のＭ２Ｍチャネルの別のセットは、Ｍ２Ｍ ＵＥがアップリンク上でアクセス要求および／または他の情報を伝送できるように、ランダムアクセスチャネル（ＲＡＣＨ）のためにリザーブされうる。１つまたは複数のＭ２Ｍチャネルのセットは、アップリンク上で制御情報を送信するためにリザーブされうる。制御情報は、ダウンリンク上のデータ伝送に関する肯定応答（ＡＣＫ）情報、チャネル品質インジケータ（ＣＱＩ）情報等を含みうる。あるいは、制御情報は、データと多重化されて、同じＭ２Ｍチャネル上で送信されることもできる。１つまたは複数のＭ２Ｍチャネルのセットは、アップリンク上でサウンディングリファレンス信号（ＳＲＳ：sounding reference signal）を送信するためにリザーブされうる。Ｍ２Ｍ ＵＥは、１つまたは複数の機能のために１つまたは複数のＭ２Ｍチャネルを割り当てられうる。Ｍ２Ｍ ＵＥは、そのＭ２Ｍチャネルのために指定された方法で、割り当てられた各Ｍ２Ｍチャネル上で送信することができる。
【００５９】
１つの設計では、Ｍ２Ｍチャネルは、通常のサイクリックプリフィックスについてＱＰＳＫ変調を用いて２４ｋｂｐｓのデータレートをサポートしうる。６ｋｂｐｓの情報ビットレートが、チャネル符号化についてＲ＝１／４の有効符号レートを用いてＭ２Ｍチャネル上でサポートされうる。他のデータレートおよび情報ビットレートもまた、他の変調スキームおよび／または他の有効符号レートを用いてＭ２Ｍチャネル上でサポートされうる。
【００６０】
Ｍ２Ｍ ＵＥは、所与のサブフレームにおいて標準的なＵＥと多重化されうる。具体的には、Ｍ２Ｍ ＵＥは、サブフレームにおいてＭ２Ｍ ＵＥに割り当てられたＭ２Ｍチャネルについてサブキャリア上でアップリンク伝送を送信することができる。標準的なＵＥは、サブフレームにおいて標準的なＵＥに割り当てられた１つまたは複数のリソースブロック上でアップリンク伝送を送信することができる。したがって、低複雑度伝送スキームは、ＳＣ−ＦＤＭＡ伝送と下位互換性をもちうる。ｅＮＢは、１つまたは複数のＭ２Ｍ ＵＥからの単一サブキャリア伝送、ならびに１つまたは複数の標準的なＵＥからのＳＣ−ＦＤＭＡ伝送を受信しうる。図１０のデマッパー１０３６は、(ｉ）各Ｍ２Ｍ ＵＥに割り当てられたサブキャリアに関する受信されたシンボルを、単一サブキャリア復調器１０４０に、および（ｉｉ）標準的な各ＵＥに割り当てられたサブキャリアに関する受信されたシンボルを、ＩＤＦＴユニット１０３８に、提供することができる。
【００６１】
明確にするために、単一のサブキャリア上の伝送について上述した。複数のサブキャリア上の伝送もまた、可能である。１つの設計では、単一サブキャリア信号を生成できる回路の複数のインスタンスが、複数のサブキャリアのために使用されることができ、複数のサブキャリアに関する個々の単一サブキャリア信号は、出力信号を得るために合計されることができる。この設計は、少数のサブキャリアについて特に適用可能でありうる。同時に複数のサブキャリアを使用することは、単一のサブキャリアの使用と比較して、複雑さを増大させ、より高いピーク対平均電力比（ＰＡＰＲ）をまねきかねない。したがって、必要とされるデータレートがサポートされうる場合、単一のサブキャリアを使用することが望ましい。
【００６２】
Ｍ２Ｍ ＵＥのための送信機サブシステムの複雑さおよびコストは、上述した低コスト伝送スキームを用いて低減されうる。送信機サブシステムの複雑さおよびコストは、また、他の方法でも低減されうる。
【００６３】
１つの設計では、ドライバ増幅器が、Ｍ２Ｍ ＵＥのための送信機において電力増幅器の代わりに使用されうる。ドライバ増幅器は、０〜４ｄＢｍの電力レベルで出力ＲＦ信号を提供することが可能であり、それは、いくつかのアプリケーションにとっては十分である。送信機から電力増幅器を省略することは、コストおよびサイズを低減しうる。サイズの低減は、電力増幅器の除去に加えて、電力増幅器なしの熱的制約の低減によるものである。
【００６４】
別の設計では、電力増幅器は、必要でないときには、バイパスされ、オフにされる（turned off）ことができる。ドライバ増幅器は、ある特定の電力レベルまたはそれ以下で、所望の出力電力を提供することが可能である。したがって、所望の出力電力が十分に低いときには、ドライバ増幅器は、出力ＲＦ信号を提供することができ、電力増幅器は、電力消費を節約するためにオフにされることができる。
【００６５】
電力増幅器は、電力消費、時間ダイバーシティ等のような、さまざまな考慮すべき事柄に基づいて、選択またはバイパスされうる。線形領域での動作を仮定すれば、Ｍ２Ｍ ＵＥは、同じ量のデータを伝えるために、２倍の長さで、および半分の出力電力レベルで、伝送しうる。より長い持続時間にわたって伝送することは、時間ダイバーシティを改善することができ、また、Ｍ２Ｍ ＵＥが電力制限されているときに有益でありうる。しかしながら、より長い持続時間にわたって伝送することは、Ｍ２Ｍ ＵＥがアップリンク伝送についてＡＣＫ情報を受信するためのウェークアップ（wake-up）時間を増加させうる。電力消費の大部分が電力増幅器に起因する場合、Ｍ２Ｍ ＵＥが、公称持続時間にわたって公称電力レベルで伝送するか、あるいは半分の電力レベルで２倍長く伝送するかは問題にならないことがありうる。しかしながら、Ｍ２Ｍ ＵＥ内の他の回路ブロックに起因するオーバヘッドがある場合、電力消費は、より短い持続時間にわたってより高い電力レベルで伝送することによって低減され、線形ＳＮＲ領域内に留まる、ＨＡＲＱ利得を維持するなど、他の考慮すべき事柄にさらされうる。したがって、電力増幅器を使用することは、Ｍ２Ｍ ＵＥのためのバッテリ寿命を改善しうる。
【００６６】
１つの設計では、送信機におけるドライバ増幅器または電力増幅器の後の送信フィルタが省略されることができる。送信フィルタは、電力増幅器またはドライバ増幅器からの出力ＲＦ信号をフィルタ処理し、フィルタ処理されたＲＦ信号をアンテナに提供することができる。送信フィルタを除去することは、挿入損失を低減し、リンクバジェットを約１〜２ｄＢ改善することができ、これは、望ましいことでありうる。しかしながら、送信フィルタが除去されうる前に、いくつかの問題に対処する必要がある。第１に、送信機と受信機との間の共存のために、出力ＲＦ信号中の望ましくない信号成分は、Ｍ２Ｍ ＵＥへのダウンリンク伝送のパフォーマンスに与える影響を最小限に抑えるために、Ｍ２Ｍ ＵＥのすべての受信周波数帯域において十分に低い（例えば、１ＭＨｚ当たり−５０ｄＢｍより低い）ものであるべきである。アップリンク伝送の帯域幅が、数リソースブロックに（例えば、１つのサブキャリアに）制限される場合、共存は、送信フィルタなしで満たされることができる。第２に、自己−感度低下（self-desense）のために、望ましくない信号成分は、Ｍ２Ｍ ＵＥが可能性のある最低受信電力レベルにおいて確実にダウンリンク伝送を受信できるように、すべての受信周波数帯域において十分に低い（例えば、１ＭＨｚ当たり−１１０ｄＢｍより低い）ものであるべきである。電力増幅器は、この要件を満たすように設計されることができる。あるいは、Ｍ２Ｍ ＵＥは、ＵＥが（例えば、スケジューリングによって）いくつかの時間間隔ではアップリンク上で送信し、他のいくつかの時間間隔ではダウンリンク上で受信することができる、半二重モードで動作することもできる。第３に、スプリアス抑制（spurious suppression）のために、中心周波数の調波における望ましくない信号成分は、十分な量だけ（例えば、第３調波については、−３０ｄＢｍ／ＭＨｚだけ）減衰されることができる。いくつかの緩和（relaxed）送信フィルタリングが、この機能を達成するのに十分でありうる。
【００６７】
１つの設計では、アンテナと受信機との間の受信フィルタが省略されることができる。受信フィルタは、アンテナからの受信されたＲＦ信号をフィルタ処理し、フィルタ処理されたＲＦ信号を受信機に提供することができる。ブロッキング要件は、受信フィルタの除去を可能にするように緩和されうる。ブロッキング要件は、通常、最低のパフォーマンス基準において定義され、弱い所望の信号が別の周波数上の強い不要信号の存在下で受信されるときに予想される復調のパフォーマンスを指定する。所望の信号と不要信号との間の異なる電力オフセットが、周波数における異なる量の分離のために指定される。加えて、電力オフセットは、不要信号が所望の信号の動作帯域外にあるときには、それが動作帯域内にある場合と比較して、より大きい。
【００６８】
１つの設計では、デュプレクサが省略されることができる。デュプレクサは、送信フィルタおよび受信フィルタを含みうる。デュプレクサは、送信フィルタおよび受信フィルタの除去に関する問題がうまく対処される場合、除去されることができる。
【００６９】
Ｍ２Ｍ ＵＥのための送信機サブシステムの複雑さおよびコストは、また、他の方法で低減されることができる。Ｍ２Ｍ ＵＥのための受信機サブシステムの複雑さおよびコストもまた、低減されることができる。
【００７０】
１つの設計では、ターボ符号の代わりに、畳み込み符号が、Ｍ２Ｍ ＵＥへのダウンリンク上のデータ伝送のためのチャネル符号化に使用されることができる。畳み込み符号のための復号器は、ターボ符号のための復号器よりも単純なものでありうる。
【００７１】
別の設計では、Ｍ２Ｍ ＵＥは、ＵＥが半永続的なダウンリンク許可を伴って特定のリソースを割り当てられることができる、ＰＤＣＣＨのない（PDCCH-less）モードで動作することができる。データは、次いで、ダウンリンクデータ伝送のたびに物理ダウンリンク制御チャネル（ＰＤＣＣＨ）上のダウンリンク許可を送信する必要なしに、割り当てられたリソースに基づいてＭ２Ｍ ＵＥに送信されることができる。さらに別の設計では、システム情報ブロック（ＳＩＢ）およびデータは、システム帯域幅全体にわたってではなく、システム帯域幅の中心の１．０８ＭＨｚにおいてＭ２Ｍ ＵＥに伝送されることができる。この設計は、Ｍ２Ｍ ＵＥが、１．０８ＭＨｚの受信機を用いてすべての関連ダウンリンク伝送を受信することを可能にしうる。
【００７２】
図１２は、無線通信システムにおいてデータを伝送するためのプロセス１２００の一設計を示す。プロセス１２００は、（以下に説明されるように）第１のＵＥによって実行されることができ、あるいは、他の何らかのエンティティによって実行されることができる。第１のＵＥは、第１のＵＥに割り当てられた単一のサブキャリアについて第１の伝送を生成することができる（ブロック１２１２）。第１のＵＥは、第２のＵＥによって複数のサブキャリア上で送信されるＳＣ−ＦＤＭＡ伝送と同時に（例えば、同じシンボル期間、スロット、またはサブフレームにおいて）、単一のサブキャリア上で第１の伝送を送信することができる（ブロック１２１４）。単一のサブキャリアおよび複数のサブキャリアは、システム帯域幅内の複数のサブキャリアのうちのものでありうる。
【００７３】
ブロック１２１２の１つの設計では、第１のＵＥは、第１のＵＥに割り当てられた単一のサブキャリアに対応する周波数で、連続的な正弦波信号を生成することができる。第１のＵＥは、次いで、例えばデータや制御情報等に関する、少なくとも１つの変調シンボルを用いて、連続的な正弦波信号を変調することができる。１つの設計では、第１のＵＥは、例えば図５に示されたように、連続的な正弦波信号に基づいて、異なる位相の複数の正弦波信号を生成することができる。第１のＵＥは、次いで、各シンボル期間において、そのシンボル期間に送信するべき変調シンボルに基づいて、複数の正弦波信号のうちの１つを提供することができる。別の設計では、第１のＵＥは、増幅器を用いて連続的な正弦波信号を増幅することができ、その増幅器は、例えば図６に示されたような電力増幅器でありうる。第１のＵＥは、少なくとも１つの変調シンボルに基づいて増幅器の振幅を変化させることができる。第１のＵＥは、また、他の方法で第１の伝送を生成することができる。
【００７４】
第１のＵＥは、また、少なくとも１つのリファレンスシンボルを用いて、連続的な正弦波信号を変調することができる。１つの設計では、例えば図９Ａに示されたように、リファレンスシンボルは、時間間隔（例えば、スロット）の中央のシンボル期間において伝送されることができ、また、データに関する少なくとも１つの変調シンボルは、該時間間隔におけるリファレンスシンボルの各側の少なくとも１つのシンボル期間において伝送されることができる。リファレンスシンボルは、また、他の方法で伝送される。
【００７５】
１つの設計では、第１のＵＥは、複数のシンボル期間において複数の変調シンボルを用いて変調された連続的な正弦波信号を含む第１の伝送を生成することができる。第１の伝送は、例えば、図７Ａ〜図７ｃに示されたように、各シンボル期間において有用な部分がそれに後続するサイクリックプリフィックスを含むことができる。複数のシンボル期間における有用な部分は、例えば図７Ｂに示されたように、異なる開始位相を有することができる。
【００７６】
１つの設計では、第１のＵＥは、第１のＵＥに割り当てられた単一のサブキャリアにマッピングされたＭ２Ｍチャネルの割り当てを受信することができる。Ｍ２Ｍチャネルは、リソースブロックのための複数のサブキャリアにマッピングされた複数のＭ２Ｍチャネルのうちの１つでありうる。ＳＣ−ＦＤＭＡ伝送を送信するために第２のＵＥによって使用される複数のサブキャリアは、少なくとも１つの他のリソースブロックのためのものでありうる。１つの設計では、第１のＵＥは、アクセス要求を送信するためにリザーブされたＭ２Ｍチャネル上でアクセス要求を送信することができる。１つの設計では、第１のＵＥは、ＳＲＳを送信するために使用されるＭ２Ｍチャネル上でＳＲＳを送信することができる。第１のＵＥは、また、第１の伝送を送信するために使用されたのと同じＭ２Ｍチャネル上で、あるいは異なるＭ２Ｍチャネル上で、他の伝送を送信することができる。
【００７７】
１つの設計では、電力増幅器は、電力消費を低減するために必要とされない場合、バイパスされることができる。第１のＵＥは、閾値（例えば、＋４ｄＢｍ）よりも高い出力電力レベルが選択された場合、電力増幅器を用いて第１の伝送を増幅することができる。電力増幅器は、閾値よりも低い出力電力レベルが選択された場合、バイパスされることができる。
【００７８】
１つの設計では、送信フィルタは、第１のＵＥにおいて省略されることができる。第１のＵＥは、増幅器（例えば、電力増幅器またはドライバ増幅器）を用いて第１の伝送を増幅することができる。増幅された第１の伝送は、送信フィルタまたはデュプレクサを通過することなく、増幅器から直接アンテナへと渡されることができる。
【００７９】
図１３は、無線通信システムにおいてデータを受信するためのプロセス１３００の一設計を示す。プロセス１３００は、（以下に説明するように）基地局／ｅＮＢによって、あるいは他の何らかのエンティティによって実行されることができる。基地局は、（ｉ）第１のＵＥによって単一のサブキャリア上で送信された第１の伝送、および（ｉｉ）第２のＵＥによって複数のサブキャリア上で送信されたＳＣ−ＦＤＭＡ伝送、を得るために、受信された信号を処理することができる（ブロック１３１２）。第１の伝送およびＳＣ−ＦＤＭＡ伝送は、同じシンボル期間、またはスロット、またはサブフレームにおいて送信されることができる。基地局は、第１のＵＥによって単一のサブキャリア上で送信されたデータを取り出すために、第１の伝送について復調を実行することができる（ブロック１３１４）。基地局は、また、第２のＵＥによって複数のサブキャリア上で送信されたデータを取り出すために、ＳＣ−ＦＤＭＡ伝送について復調を実行することができる（ブロック１３１６）。
【００８０】
ブロック１３１２の１つの設計では、基地局は、各シンボル期間について、受信された信号中のサイクリックプリフィックスを除去することができる。基地局は、複数のサブキャリアに関する受信されたシンボルを得るために、サイクリックプリフィックスの除去後、受信された信号を周波数領域に変換することができる。基地局は、次いで、（ｉ）第１のＵＥによって第１の伝送を送信するために使用された単一のサブキャリアからの受信されたシンボル、および（ｉｉ）第２のＵＥによってＳＣ−ＦＤＭＡ伝送を送信するために使用された複数のサブキャリアからの受信されたシンボル、を提供することができる。
【００８１】
１つの設計では、基地局は、（ｉ）第１のＵＥが第１の伝送について連続的な正弦波信号を生成していることと、（ｉｉ）第１の伝送が複数のシンボル期間の各々において有用な部分とサイクリックプリフィックスとを含んでいることと、に起因する、シンボル境界における位相の不連続性を考慮するために、位相補正を実行することができる。位相補正を実行するために、基地局は、単一のサブキャリアの周波数、サイクリックプリフィックス長、およびシンボル期間の持続時間に基づいて、各シンボル期間において有用な部分についての開始位相を決定することができる。基地局は、各シンボル期間についての位相補正を、そのシンボル期間における有用な部分に関する開始位相に基づいて、実行することができる。
【００８２】
ブロック１３１４の１つの設計では、基地局は、第１のＵＥによって第１の伝送で送信された少なくとも１つのリファレンスシンボルに基づいて、チャネル推定を導出することができる。基地局は、次いで、少なくとも１つの復調されたシンボルを得るためにチャネル推定に基づいて単一のサブキャリアからの少なくとも１つの受信されたシンボルについてコヒーレント復調を実行することができる。基地局は、（例えば図１１に示されたように）時間領域で、あるいは周波数領域で、少なくとも１つの受信されたシンボルについてコヒーレント復調を実行することができる。
【００８３】
１つの設計では、基地局は、単一のサブキャリアにマッピングされたＭ２Ｍチャネルを第１のＵＥに割り当てることができる。Ｍ２Ｍチャネルは、あるリソースブロックのための複数のサブキャリアにマッピングされた複数のＭ２Ｍチャネルのうちの１つでありうる。ＳＣ−ＦＤＭＡ伝送を送信するために第２のＵＥによって使用される複数のサブキャリアは、少なくとも１つの他のリソースブロックのためのものでありうる。
【００８４】
１つの設計では、基地局は、アクセス要求を送信するためにリザーブされたＭ２Ｍチャネル上で第１のＵＥによって送信されたアクセス要求を受信することができる。１つの設計では、基地局は、ＳＲＳを送信するために使用されたＭ２Ｍチャネル上で第１のＵＥによって送信されたＳＲＳを受信することができる。基地局は、また、１つまたは複数の他のＭ２Ｍチャネル上で第１のＵＥによって送信された他の伝送を受信することができる。
【００８５】
図１４は、無線通信システムにおいてデータを送信するように構成された装置１４００のハードウェアインプリメンテーションの一部を示す。装置１４００は、回路を含み、ＵＥの１つの構成でありうる。この明細書および添付の特許請求の範囲では、「回路（circuitry）」という用語は、機能的な用語としてではなく、構造的な用語として解釈される。例えば、回路は、図１４に示され記載されるような、処理および／またはメモリセル、ユニット、ブロックおよびそれに類するものの形態の、多様な集積回路構成要素など、回路構成要素の集合体でありうる。
【００８６】
装置１４００は、いくつかの回路をつなぎ合わせる中央データバス１４０２を備える。回路は、プロセッサ１４０４、受信回路１４０６、送信回路１４０８、およびメモリ１４１０を含む。メモリ１４１０は、プロセッサ１４０４が、メモリ１４１０から情報を読み取りおよび／またはメモリ１４１０に情報を書き込むことができるように、プロセッサ１４０４と電子的通信状態にある。プロセッサ１４０４は、汎用プロセッサ、中央処理装置（ＣＰＵ）、マイクロプロセッサ、デジタル信号プロセッサ（ＤＳＰ）、コントローラ、マイクロコントローラ、ステートマシン（state machine）、特定用途向け集積回路（ＡＳＩＣ）、プログラマブルロジックデバイス（ＰＬＤ）、フィールドプログラマブルゲートアレイ（ＦＰＧＡ）等でありうる。プロセッサ１４０４は、処理デバイスの組合せ、例えば、ＤＳＰとマイクロプロセッサの組み合わせ、複数のマイクロプロセッサ、ＤＳＰコアと連携した１つまたは複数のマイクロプロセッサ、またはその他任意のこのような構成を含みうる。
【００８７】
受信回路１４０６および送信回路１４０８は、無線周波数（ＲＦ）回路に接続されることができる（図１４には図示せず）。受信回路１４０６は、データバス１４０２に信号を送り出す前に、受信された信号を処理およびバッファすることができる。送信回路１４０８は、装置１４００からデータを送り出す前に、データバス１４０２からのデータを処理およびバッファすることができる。プロセッサ１４０４は、データバス１４０２のデータ管理の機能と、さらに、メモリ１４１０の命令コンテンツを実行することを含む、一般データ処理の機能とを実行することができる。送信回路１４０８および受信回路１４０６は、（図１４に示されるように）プロセッサ１４０４の外部にあることができ、あるいは、プロセッサ１４０４の一部であることができる。
【００８８】
メモリ１４１０は、ここに説明された方法をインプリメントするために、プロセッサ１４０４によって実行可能な命令のセット１４１２を記憶する。命令１４１２は、第１のＵＥに割り当てられた単一のサブキャリアについて第１の伝送を生成するためのコード１４１４と、第１のＵＥに割り当てられた単一のサブキャリア上で第１の伝送を送信するためのコード１４１６とを含むことができる。第１の伝送は、第２のＵＥによって複数のサブキャリア上で送信されるＳＣ−ＦＤＭＡ伝送と同時に送信されることができる。
【００８９】
メモリ１４１０中に示される命令１４１２は、任意のタイプの（１つまたは複数の）コンピュータ可読ステートメントを含みうる。例えば、メモリ１４１０中の命令１４１２は、１つまたは複数のプログラム、ルーチン、サブルーチン、モジュール、関数、プロシージャ、データセット等を指しうる。命令１４１２は、単一のコンピュータ可読ステートメントまたは多くのコンピュータ可読ステートメントを含みうる。
【００９０】
メモリ１４１０は、ＲＡＭ（ランダムアクセスメモリ）回路でありうる。メモリ１４１０は、揮発性タイプまたは不揮発性タイプのいずれでもありうる別のメモリ回路（図示せず）に結合されることができる。代替として、メモリ１４１０は、ＥＥＰＲＯＭ（電気的消去可能プログラマブル読み出し専用メモリ）、ＥＰＲＯＭ（電気的プログラマブル読み出し専用メモリ）、ＲＯＭ（読み出し専用メモリ）、ＡＳＩＣ（特定用途向け集積回路）、磁気ディスク、光ディスク、および当該技術においてよく知られている他のものなど、その他の回路タイプで作製されうる。メモリ１４１０は、命令１４１２がその中に記憶されたコンピュータ可読媒体を備えるコンピュータプログラム製品の一例とみなされることができる。
【００９１】
図１５は、無線通信システムにおいてデータを受信するように構成された装置１５００のハードウェアインプリメンテーションの一部を示す。装置１５００は、回路を含み、基地局／ｅＮＢの１つの構成でありうる。装置１５００は、中央データバス１５０２、プロセッサ１５０４、受信回路１５０６、送信回路１５０８、およびメモリ１５１０を備え、それらは、図１４の中央データバス１４０２、プロセッサ１４０４、受信回路１４０６、送信回路１４０８、およびメモリ１４１０と同様の方法で、インプリメントおよび動作されうる。
【００９２】
メモリ１５１０は、ここに説明された方法をインプリメントするためにプロセッサ１５０４によって実行可能な命令のセット１５１２を含む。命令１５１２は、第１のＵＥによって単一のサブキャリア上で送信された第１の伝送と、第２のＵＥによって複数のサブキャリア上で送信されたＳＣ−ＦＤＭＡ伝送とを得るために、受信された信号を処理するためのコード１５１４を含むことができる。命令１５１２は、また、第１のＵＥによって単一のサブキャリア上で送信されたデータを取り出すために第１の伝送について復調を実行するためのコード１５１６を含むことができる。命令１５１２は、第２のＵＥによって複数のサブキャリア上で送信されたデータを取り出すために、ＳＣ−ＦＤＭＡ伝送について復調を実行するためのコード１５１６をさらに含むことができる。
【００９３】
図１６は、図１の基地局／ｅＮＢのうちの１つおよびＵＥのうちの１つでありうる、基地局／ｅＮＢ １１０およびＵＥ １２０の一設計のブロック図を示す。ＵＥ １２０では、ＴＸデータプロセッサ１６２０が、データソース１６１２からデータを受信し、該データを、ＵＥ １２０のために選択された１つまたは複数の変調およびコーディングスキームに基づいて処理（例えば、符号化および変調）し、データに関する変調シンボルであるデータシンボルを提供することができる。プロセッサ１６２０は、また、制御情報を処理して、制御シンボルを提供することができ、それらは、制御情報に関する変調シンボルである。制御情報は、ＡＣＫ情報、ＣＱＩ情報等を含みうる。プロセッサ１６２０は、また、１つまたは複数のリファレンス信号（例えば、ＳＲＳ）に関するリファレンスシンボルを生成することができる。プロセッサ１６２０は、データシンボル、制御シンボル、およびリファレンスシンボルを多重化することができる。送信機１６３０は、多重化されたシンボルを処理し、出力ＲＦ信号を生成することができ、その出力ＲＦ信号は、デュプレクサ１６３２を通じてルーティングされ、アンテナ１６３４を介して送信されることができる。
【００９４】
基地局１１０では、アンテナ１６５２は、ＵＥ １２０および他のＵＥからアップリンク信号を受信することができ、受信されたＲＦ信号を提供することができ、その受信されたＲＦ信号は、デュプレクサ１６５４を通じてルーティングされ、受信機１６５６に提供されることができる。受信機１６５６は、受信されたＲＦ信号を調整（例えば、フィルタ処理、増幅、ダウンコンバート、およびデジタル化）し、入力サンプルを提供することができる。復調器（ＤＥＭＯＤ）１６５８は、復調されたシンボルを得るために、（例えば、ＳＣ−ＦＤＭＡ、コヒーレント復調等のために）該入力サンプルを処理することができる。ＲＸデータプロセッサ１６６０は、ＵＥ １２０によって送信された復号化されたデータおよび制御情報を得るために、該復調されたシンボルを処理（例えば、シンボルデマッピングおよび復号）することができる。プロセッサ１６６０は、復号化されたデータをデータシンク１６６２に提供し、復号化された制御情報をコントローラ／プロセッサ１６７０に提供することができる。
【００９５】
ダウンリンクでは、基地局１１０において、データソース１６８２からのデータと、コントローラ／プロセッサ１６７０からの制御情報（例えば、許可、ＡＣＫ情報等）とが、ＴＸデータプロセッサ１６８４によって処理され、変調器（ＭＯＤ）１６８６によって変調され、送信機１６８８によって調整され、デュプレクサ１６５４を通じてルーティングされ、アンテナ１６５２を介して送信されることができる。ＵＥ １２０では、基地局１１０からのダウンリンク信号は、アンテナ１６３４によって受信され、デュプレクサ１６３２を通じてルーティングされ、受信機１６３６によって調整され、ＲＸデータプロセッサ１６３８によって処理されて、基地局１１０によってＵＥ １２０へと送信されたデータおよび制御情報を取り出す。プロセッサ１６３８は、取り出されたデータをデータシンク１６３９に提供し、取り出された制御情報をコントローラ／プロセッサ１６４０に提供することができる。
【００９６】
コントローラ／プロセッサ１６４０および１６７０は、それぞれ、ＵＥ １２０および基地局１１０における動作を指示することができる。送信機１６３０は、図５の送信機５３０、図６の送信機６３０、あるいは他の何らかの低複雑度送信機を用いてインプリメントされることができる。復調器１６５８は、図１０および図１１のＳＣ−ＦＤＭＡ復調器１０３０および単一サブキャリア復調器１０４０を用いてインプリメントされることができる。ＵＥ １２０におけるプロセッサ１６４０および／またはその他のプロセッサおよびモジュールは、図１２のプロセス１２００および／またはここに説明された技術に関するその他のプロセスを実行または指示することができる。基地局１１０におけるプロセッサ１６７０および／またはその他のプロセッサおよびモジュールは、図１３のプロセス１３００および／またはここに説明された技術に関するその他のプロセスを実行または指示することができる。メモリ１６４２および１６７２は、それぞれ、ＵＥ １２０および基地局１１０のために、データおよびプログラムコードを記憶することができる。スケジューラ１６７４は、ダウンリンクおよび／またはアップリンクでのデータ伝送について、ＵＥ １２０および／またはその他のＵＥをスケジュールすることができる。
【００９７】
ここに説明された機能は、ハードウェア、ソフトウェア、ファームウェア、あるいはそれらの任意の組み合わせでインプリメントされうる。ソフトウェアでインプリメントされる場合、機能は、コンピュータ可読媒体上の１つまたは複数の命令として記憶されうる。「コンピュータ可読媒体」または「コンピュータプログラム製品」という用語は、コンピュータまたはプロセッサによってアクセスされることが可能な任意の有形記憶媒体を指す。限定ではなく例として、コンピュータ可読媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、データ構造もしくは命令の形態で所望のプログラムコードを記憶するために使用されることができ、コンピュータによってアクセスされることができる、その他任意の媒体を含むことができる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は、通常、磁気的にデータを再生し、一方ディスク（discs）は、レーザーを用いて光学的にデータを再生する。
【００９８】
ソフトウェアあるいは命令が、また、伝送媒体上で伝送されうる。例えば、ソフトウェアが、同軸ケーブル、光ファイバーケーブル、ツイストペア、デジタル加入者回線（ＤＳＬ）、または赤外線、電波、およびマイクロ波のような無線技術を使用して、ウェブサイト、サーバ、または他の遠隔ソースから伝送される場合には、この同軸ケーブル、光ファイバーケーブル、ツイストペア、ＤＳＬ、または赤外線、電波、およびマイクロ波のような無線技術は、伝送媒体の定義に含まれる。
【００９９】
ここに開示された方法は、説明された方法を達成するための１つまたは複数のステップまたはアクション（actions）を備える。方法のステップおよび／またはアクションは、特許請求の範囲から逸脱することなく互いに置き換えられうる。言い換えれば、特定の順序のステップまたは動作が、説明されている方法の適正な動作のために必要でない限り、特定のステップおよび／またはアクションの順序および／または使用は、特許請求の範囲から逸脱することなく修正されうる。
【０１００】
特許請求の範囲は、上記に例示された精密な構成およびコンポーネントだけに限定されないことが理解されるべきである。特許請求の範囲から逸脱することなく、様々な修正、変更、および変形が、ここに説明されたシステム、方法、および装置の配置、動作および詳細において行われうる。
【０１０１】
請求項の要素が、「〜するための手段」という語句を用いて明確に述べられているか、あるいは方法の請求項の場合に「〜するためのステップ」という語句を用いて述べられていない限り、請求項の要素は、３５Ｕ．Ｓ．Ｃ．§１１２第６項による規定の下で解釈されるべきではない。
以下に、本願の出願当初請求項に記載された発明を付記する。
［Ｃ１］
無線通信のための方法であって、
第１のユーザ機器に割り当てられた単一のサブキャリアについて第１の伝送を生成することと、
前記第１のユーザ機器によって前記単一のサブキャリア上で前記第１の伝送を送信することと、なお、前記第１の伝送は、第２のユーザ機器によって複数のサブキャリア上で送信される単一キャリア周波数分割多元接続伝送と同時に送信される、
を具備する方法。
［Ｃ２］
前記第１の伝送を生成することは、
前記第１のユーザ機器に割り当てられた前記単一のサブキャリアに対応する周波数で連続的な正弦波信号を生成することと、
少なくとも１つの変調シンボルを用いて、前記連続的な正弦波信号を変調することと、
を具備する、上記Ｃ１に記載の方法。
［Ｃ３］
前記連続的な正弦波信号を変調することは、
前記連続的な正弦波信号に基づいて、異なる位相の複数の正弦波信号を生成することと、
前記少なくとも１つの変調シンボルのうちの１つに基づいて、各シンボル期間において前記複数の正弦波信号のうちの１つを提供することと、
を具備する、上記Ｃ２に記載の方法。
［Ｃ４］
前記連続的な正弦波信号を変調することは、
増幅器を用いて、前記連続的な正弦波信号を増幅することと、
前記少なくとも１つの変調シンボルに基づいて、前記増幅器の振幅を変化させることと、
を具備する、上記Ｃ２に記載の方法。
［Ｃ５］
前記連続的な正弦波信号を変調することは、少なくとも１つのリファレンスシンボルを用いて、前記連続的な正弦波信号を変調することをさら具備する、上記Ｃ２に記載の方法。
［Ｃ６］
リファレンスシンボルが、時間間隔の中央のシンボル期間において伝送され、データに関する少なくとも１つの変調シンボルが、前記時間間隔における前記リファレンスシンボルの各側の少なくとも１つのシンボル期間において伝送される、上記Ｃ５に記載の方法。
［Ｃ７］
前記第１の伝送を前記生成することは、複数のシンボル期間において複数の変調シンボルを用いて変調された連続的な正弦波信号を含む前記第１の伝送を生成することを具備し、なお、前記第１の伝送は、各シンボル期間において、有用な部分がそれに後続するサイクリックプリフィックスを含み、前記複数のシンボル期間における前記有用な部分は、異なる開始位相を有する、上記Ｃ１に記載の方法。
［Ｃ８］
前記第１のユーザ機器に割り当てられた前記単一のサブキャリアにマッピングされた機器間チャネルの割り当てを受信すること、
をさらに具備する、上記Ｃ１に記載の方法。
［Ｃ９］
前記機器間チャネルは、リソースブロックのための複数のサブキャリアにマッピングされた複数の機器間チャネルのうちの１つであり、前記単一キャリア周波数分割多元接続伝送を送信するために前記第２のユーザ機器によって使用される前記複数のサブキャリアは、少なくとも１つの他のリソースブロックのためのものである、上記Ｃ８に記載の方法。
［Ｃ１０］
アクセス要求を送信するためにリザーブされた第２の機器間チャネル上でアクセス要求を送信すること、
をさらに具備する、上記Ｃ８に記載の方法。
［Ｃ１１］
サウンディングリファレンス信号を送信するために使用される第２の機器間チャネル上で前記サウンディングリファレンス信号を送信すること、
をさらに具備する、上記Ｃ８に記載の方法。
［Ｃ１２］
閾値よりも高い出力電力レベルが選択された場合、電力増幅器を用いて前記第１の伝送を増幅することと、
前記閾値よりも低い出力電力レベルが選択された場合、前記電力増幅器をバイパスすることと、
をさらに具備する、上記Ｃ１に記載の方法。
［Ｃ１３］
増幅器を用いて前記第１の伝送を増幅することと、
前記増幅された第１の伝送を、送信フィルタまたはデュプレクサに通さずに、前記増幅器から直接アンテナに渡すことと、
をさらに具備する、上記Ｃ１に記載の方法。
［Ｃ１４］
無線通信のための装置であって、
第１のユーザ機器に割り当てられた単一のサブキャリアについて第１の伝送を生成するための手段と、
前記第１のユーザ機器によって前記単一のサブキャリア上で前記第１の伝送を送信するための手段と、なお、前記第１の伝送は、第２のユーザ機器によって複数のサブキャリア上で送信される単一キャリア周波数分割多元接続伝送と同時に送信される、
を具備する装置。
［Ｃ１５］
前記第１の伝送を生成するための前記手段は、
前記第１のユーザ機器に割り当てられた前記単一のサブキャリアに対応する周波数で連続的な正弦波信号を生成するための手段と、
少なくとも１つの変調シンボルを用いて、前記連続的な正弦波信号を変調するための手段と、
を具備する、上記Ｃ１４に記載の装置。
［Ｃ１６］
前記第１の伝送を生成するための前記手段は、複数のシンボル期間において複数の変調シンボルを用いて変調された連続的な正弦波信号を含む前記第１の伝送を生成するための手段を具備し、なお、前記第１の伝送は、各シンボル期間において有用な部分がそれに後続するサイクリックプリフィックスを含み、前記複数のシンボル期間における前記有用な部分は、異なる開始位相を有する、上記Ｃ１４に記載の装置。
［Ｃ１７］
前記第１のユーザ機器に割り当てられた前記単一のサブキャリアにマッピングされた機器間チャネルの割り当てを受信するための手段、なお、前記機器間チャネルは、リソースブロックのための複数のサブキャリアにマッピングされた複数の機器間チャネルのうちの１つである、
をさらに具備する、上記Ｃ１４に記載の装置。
［Ｃ１８］
無線通信のための装置であって、
第１のユーザ機器に割り当てられた単一のサブキャリアのための第１の伝送を生成し、前記第１のユーザ機器によって前記単一のサブキャリア上で前記第１の伝送を送信するように構成された回路、なお、前記第１の伝送は、第２のユーザ機器によって複数のサブキャリア上で送信される単一キャリア周波数分割多元接続伝送と同時に送信される、
を具備する装置。
［Ｃ１９］
前記回路は、前記第１のユーザ機器に割り当てられた前記単一のサブキャリアに対応する周波数で連続的な正弦波信号を生成し、少なくとも１つの変調シンボルを用いて、前記連続的な正弦波信号を変調するようにさらに構成される、上記Ｃ１８に記載の装置。
［Ｃ２０］
前記回路は、複数のシンボル期間において複数の変調シンボルを用いて変調された連続的な正弦波信号を含む前記第１の伝送を生成するようにさらに構成され、なお、前記第１の伝送は、各シンボル期間において有用な部分がそれに後続するサイクリックプリフィックスを含み、前記複数のシンボル期間における前記有用な部分は、異なる開始位相を有する、上記Ｃ１８に記載の装置。
［Ｃ２１］
前記回路は、前記第１のユーザ機器に割り当てられた前記単一のサブキャリアにマッピングされた機器間チャネルの割り当てを受信するようにさらに構成され、なお、前記機器間チャネルは、リソースブロックのための複数のサブキャリアにマッピングされた複数の機器間チャネルのうちの１つである、上記Ｃ１８に記載の装置。
［Ｃ２２］
コンピュータプログラム製品であって、
少なくとも１つのコンピュータに、第１のユーザ機器に割り当てられた単一のサブキャリアについて第１の伝送を生成させるためのコードと、
前記少なくとも１つのコンピュータに、前記第１のユーザ機器によって前記単一のサブキャリア上で前記第１の伝送を送信させるためのコードと、なお、前記第１の伝送は、第２のユーザ機器によって複数のサブキャリア上で送信される単一キャリア周波数分割多元接続伝送と同時に送信される、
を具備する非一時的コンピュータ可読媒体、
を具備するコンピュータプログラム製品。
［Ｃ２３］
無線通信のための方法であって、
第１のユーザ機器によって単一のサブキャリア上で送信された第１の伝送と、第２のユーザ機器によって複数のサブキャリア上で送信された単一キャリア周波数分割多元接続伝送とを得るために、受信された信号を処理することと、
前記第１のユーザ機器によって前記単一のサブキャリア上で送信されたデータを取り出すために、前記第１の伝送について復調を実行することと、
を具備する方法。
［Ｃ２４］
前記受信された信号を処理することは、
各シンボル期間について、前記受信された信号中のサイクリックプリフィックスを除去することと、
複数のサブキャリアに関する受信されたシンボルを得るために、前記サイクリックプリフィックスの除去後、前記受信された信号を周波数領域に変換することと、
前記第１のユーザ機器によって前記第１の伝送を送信するために使用された前記単一のサブキャリアからの受信されたシンボルを提供することと、
を具備する、上記Ｃ２３に記載の方法。
［Ｃ２５］
前記第１の伝送について復調を実行することは、前記第１のユーザ機器が前記第１の伝送について連続的な正弦波信号を生成することと、前記第１の伝送が複数のシンボル期間の各々において有用な部分とサイクリックプリフィックスと含むことと、に起因する、シンボル境界における位相の不連続性を考慮するために、位相補正を実行することを具備する、上記Ｃ２３に記載の方法。
［Ｃ２６］
位相補正を実行することは、
前記単一のサブキャリアの周波数、サイクリックプリフィックス長、およびシンボル期間の持続時間に基づいて、前記複数のシンボル期間の各々における前記有用な部分について開始位相を決定することと、
前記シンボル期間における前記有用な部分の前記開始位相に基づいて、前記複数のシンボル期間の各々について位相補正を実行することと、
を具備する、上記Ｃ２５に記載の方法。
［Ｃ２７］
前記第１の伝送について復調を実行することは、
前記第１のユーザ機器によって前記第１の伝送で送信された少なくとも１つのリファレンスシンボルに基づいて、チャネル推定を導出することと、
少なくとも１つの復調されたシンボルを得るために、前記チャネル推定に基づいて前記単一のサブキャリアからの少なくとも１つの受信されたシンボルについてコヒーレント復調を実行することと、
を具備する、上記Ｃ２３に記載の方法。
［Ｃ２８］
コヒーレント復調を実行することは、時間領域において前記少なくとも１つの受信されたシンボルについてコヒーレント復調を実行することを具備する、上記Ｃ２７に記載の方法。
［Ｃ２９］
前記単一のサブキャリアにマッピングされた機器間チャネルを前記第１のユーザ機器に割り当てること、
をさらに具備する、上記Ｃ２３に記載の方法。
［Ｃ３０］
前記機器間チャネルは、リソースブロックのための複数のサブキャリアにマッピングされた複数の機器間チャネルのうちの１つであり、前記単一キャリア周波数分割多元接続伝送を送信するために前記第２のユーザ機器によって使用される前記複数のサブキャリアは、少なくとも１つの他のリソースブロックのためのものである、上記Ｃ２９に記載の方法。
［Ｃ３１］
アクセス要求を送信するためにリザーブされた第２の機器間チャネル上で前記第１のユーザ機器によって送信されたアクセス要求を受信すること、
をさらに具備する、上記Ｃ２９に記載の方法。
［Ｃ３２］
サウンディングリファレンス信号を送信するために使用される第２の機器間チャネル上で前記第１のユーザ機器によって送信された前記サウンディングリファレンス信号を受信すること、
をさらに具備する、上記Ｃ２９に記載の方法。
［Ｃ３３］
無線通信のための装置であって、
第１のユーザ機器によって単一のサブキャリア上で送信された第１の伝送と、第２のユーザ機器によって複数のサブキャリア上で送信された単一キャリア周波数分割多元接続伝送とを得るために、受信された信号を処理するための手段と、
前記第１のユーザ機器によって前記単一のサブキャリア上で送信されたデータを取り出すために、前記第１の伝送について復調を実行するための手段と、
を具備する装置。
［Ｃ３４］
前記受信された信号を処理するための前記手段は、
各シンボル期間について、前記受信された信号中のサイクリックプリフィックスを除去するための手段と、
複数のサブキャリアに関する受信されたシンボルを得るために、前記サイクリックプリフィックスの除去後、前記受信された信号を周波数領域に変換するための手段と、
前記第１のユーザ機器によって前記第１の伝送を送信するために使用された前記単一のサブキャリアからの受信されたシンボルを提供するための手段と、
を具備する、上記Ｃ３３に記載の装置。
［Ｃ３５］
前記第１の伝送について復調を実行するための手段は、前記第１のユーザ機器が前記第１の伝送について連続的な正弦波信号を生成することと、前記第１の伝送が複数のシンボル期間の各々において有用な部分とサイクリックプリフィックスと含むことと、に起因する、シンボル境界における位相の不連続性を考慮するために、位相補正を実行するための手段を具備する、上記Ｃ３３に記載の装置。
［Ｃ３６］
前記第１の伝送について復調を実行するための前記手段は、
前記第１のユーザ機器によって前記第１の伝送で送信された少なくとも１つのリファレンスシンボルに基づいて、チャネル推定を導出するための手段と、
少なくとも１つの復調されたシンボルを得るために、前記チャネル推定に基づいて前記単一のサブキャリアからの少なくとも１つの受信されたシンボルについてコヒーレント復調を実行するための手段と、
を具備する、上記Ｃ３３に記載の装置。
［Ｃ３７］
前記単一のサブキャリアにマッピングされた機器間チャネルを前記第１のユーザ機器に割り当てるための手段、なお、前記機器間チャネルは、リソースブロックのための複数のサブキャリアにマッピングされた複数の機器間チャネルのうちの１つである、
をさらに具備する、上記Ｃ３３に記載の装置。
［Ｃ３８］
無線通信のための装置であって、
第１のユーザ機器によって単一のサブキャリア上で送信された第１の伝送と、第２のユーザ機器によって複数のサブキャリア上で送信された単一キャリア周波数分割多元接続伝送とを得るために、受信された信号を処理し、前記第１のユーザ機器によって前記単一のサブキャリア上で送信されたデータを取り出すために、前記第１の伝送について復調を実行するように構成された回路、
を具備する、装置。
［Ｃ３９］
前記回路は、各シンボル期間について、前記受信された信号中のサイクリックプリフィックスを除去し、前記サイクリックプリフィックスの除去後、前記受信された信号を周波数領域に変換して、複数のサブキャリアに関する受信されたシンボルを取得し、前記第１のユーザ機器によって前記第１の伝送を送信するために使用された前記単一のサブキャリアからの受信されたシンボルを提供するようにさらに構成される、上記Ｃ３８に記載の装置。
［Ｃ４０］
前記回路は、前記第１のユーザ機器が前記第１の伝送について連続的な正弦波信号を生成することと、前記第１の伝送が複数のシンボル期間の各々において有用な部分とサイクリックプリフィックスと含むことと、に起因する、シンボル境界における位相の不連続性を考慮するために、位相補正を実行するようにさらに構成される、上記Ｃ３８に記載の装置。
［Ｃ４１］
前記回路は、前記第１のユーザ機器によって前記第１の伝送で送信された少なくとも１つのリファレンスシンボルに基づいてチャネル推定を導出し、少なくとも１つの復調されたシンボルを得るために、前記チャネル推定に基づいて前記単一のサブキャリアからの少なくとも１つの受信されたシンボルについてコヒーレント復調を実行するようにさらに構成される、上記Ｃ３８に記載の装置。
［Ｃ４２］
前記回路は、前記単一のサブキャリアにマッピングされた機器間チャネルを前記第１のユーザ機器に割り当てるようにさらに構成され、なお、前記機器間チャネルは、リソースブロックのための複数のサブキャリアにマッピングされた複数の機器間チャネルのうちの１つである、上記Ｃ３８に記載の装置。
［Ｃ４３］
コンピュータプログラム製品であって、
少なくとも１つのコンピュータに、第１のユーザ機器によって単一のサブキャリア上で送信された第１の伝送と、第２のユーザ機器によって複数のサブキャリア上で送信された単一キャリア周波数分割多元接続伝送とを得るために、受信された信号を処理させるためのコードと、
前記少なくとも１つのコンピュータに、前記第１のユーザ機器によって前記単一のサブキャリア上で送信されたデータを取り出すために、前記第１の伝送について復調を実行させるためのコードと、
を具備する非一時的コンピュータ可読媒体、
を具備するコンピュータプログラム製品。
【図１】
0005543617.tif 000002
【図２】
0005543617.tif 000003
【図３】
0005543617.tif 000004
【図４】
0005543617.tif 000005
【図５】
0005543617.tif 000006
【図６】
0005543617.tif 000007
【図７Ａ】
0005543617.tif 000008
【図７Ｂ】
0005543617.tif 000009
【図７Ｃ】
0005543617.tif 000010
【図８Ａ】
0005543617.tif 000011
【図８Ｂ】
0005543617.tif 000012
【図９Ａ】
0005543617.tif 000013
【図９Ｂ】
0005543617.tif 000014
【図１０】
0005543617.tif 000015
【図１１】
0005543617.tif 000016
【図１２】
0005543617.tif 000017
【図１３】
0005543617.tif 000018
【図１４】
0005543617.tif 000019
【図１５】
0005543617.tif 000020
【図１６】
0005543617.tif 000021